(57)【要約】      （修正有）【課題】ダイバーシティを与えるために利用されるチャネルの消極的な追加又は積極的な追加の可能性を最小にする遅延ダイバーシティ体系を提供する。【解決手段】第１の遅延ピリオドの後で第１のシンボルを第１のアンテナに与えること、該第１の遅延ピリオドとは異なる第２の遅延ピリオドの後で第２のシンボルを該第１のアンテナに与えること、そして該第１の遅延ピリオド及び該第２の遅延ピリオドとは異なる第３の遅延ピリオドの後で第３のシンボルを該第１のアンテナに与えることを具備する。【選択図】図２
2010273377.tif 000002
【特許請求の範囲】
【請求項１】
多重チャネル通信システムにおいて送信ダイバーシティを与えるための方法、該方法は下記を具備する：
第１の複数のサンプルを備える第１のシンボルを、第１のアンテナに、与えること；    第１の遅延ピリオドの後で該第１のシンボルを、第２のアンテナに、与えること；    第２の複数のサンプルを備える第２のシンボルを、該第１のアンテナに、与えること；
該第１の遅延ピリオドとは異なる第２の遅延ピリオドの後で該第２のシンボルを、該第２のアンテナに、与えること；
第３の複数のサンプルを備える第３のシンボルを、該第１のアンテナに、与えること；
該第１の遅延ピリオド及び該第２の遅延ピリオドとは異なる第３の遅延ピリオドの後で該第３のシンボルを、該第２のアンテナに、与えること。
【請求項２】
請求項１の方法、ここにおいて、該第１のシンボル、該第２のシンボル、及び該第３のシンボルは、同じシンボル・ストリームの連続したシンボルである。
【請求項３】
請求項１の方法、ここにおいて、該第３のシンボルは、該第１のシンボルの直後に送信される該第２のシンボルの直後に送信される。
【請求項４】
請求項１の方法、ここにおいて、該第１のシンボル、該第２のシンボル、及び該第３のシンボルは、同じシンボル・ストリームの連続しないシンボルである。
【請求項５】
請求項４の方法、ここにおいて、該第１のシンボル及び該第２のシンボルは、複数のシンボルだけ分離され、そして該第２のシンボル及び該第３のシンボルは、該複数のシンボルだけ分離される。
【請求項６】
請求項１の方法、ここにおいて、該第１のシンボル、該第２のシンボル、及び該第３のシンボルは、異なるフレームにおいてそれぞれ送信される。
【請求項７】
請求項１の方法、ここにおいて
該第１の遅延ピリオドの後で該第１のシンボルを与えることは、該第１の複数のサンプルの各々に第１の位相シフトを与えることを備える；
該第１の遅延ピリオドとは異なる該第２の遅延ピリオドの後で該第２のシンボルの後で与えることは、該第２の複数のサンプルに第２の位相シフトを与えることを備え、それは該第１の位相シフトとは異なる；及び
該第１の遅延ピリオド及び該第２の遅延ピリオドとは異なる第３の遅延ピリオドの後で該第３のシンボルを与えることは、該第１の位相シフト及び該第２の位相シフトとは異なる該第３の複数のサンプルに第３の位相シフトを与えることを備える。
【請求項８】
請求項１の方法、ここにおいて、該第１の遅延ピリオドは、Ｘ個のサンプル・ピリオドの遅延を備え、該第２の遅延ピリオドは、Ｘ＋β個のサンプル・ピリオドの遅延を備え、そして該第３の遅延は、Ｘ＋２β個のサンプル・ピリオドの遅延を備える。
【請求項９】
請求項１の方法、ここにおいて、該第１の遅延ピリオドは、Ｘ個のサンプル・ピリオドの遅延を備え、該第２の遅延ピリオドは、Ｘ個以外の任意の数のサンプル・ピリオドであるＹ個のサンプル・ピリオドの遅延を備え、そして該第３の遅延は、Ｘ個又はＹ個以外の任意の数のサンプル・ピリオドであるＺ個のサンプル・ピリオドの遅延を備える。
【請求項１０】
請求項１の方法、ここにおいて、該第１の遅延ピリオドは、ｆ（ｘ）サンプル・ピリオドの遅延を備え、該第２の遅延ピリオドは、ｆ（ｘ＋１）サンプル・ピリオドの遅延を備え、そして該第３の遅延は、ｆ（ｘ＋１）サンプル・ピリオドの遅延を備える、ここで、ｆは関数である。
【請求項１１】
請求項１の方法、該方法は、異なるキャリア周波数にしたがって該第１のシンボル、該第２のシンボル、及び該第３のシンボルを変調することをさらに具備する。
【請求項１２】
請求項１の方法、該方法は、該第１の遅延ピリオド、該第２の遅延ピリオド、及び該第３のピリオドにスカラ・シフトを与えることをさらに具備する。
【請求項１３】
請求項１の方法、ここにおいて、該第１の遅延ピリオド、該第２の遅延ピリオド、及び該第３の遅延ピリオドは、フィードバック情報に基づいて決定される。
【請求項１４】
請求項１の方法、該方法は下記をさらに具備する：
与えることに先立って、該第１のシンボルに巡回プリフィックスを添付すること；    与えることに先立って、該第２のシンボルに巡回プリフィックスを添付すること；及び
与えることに先立って、該第３のシンボルに巡回プリフィックスを添付すること。
【請求項１５】
送信機、該送信機は下記を具備する：
少なくとも２つのアンテナ；
該少なくとも２つのアンテナに接続されたモジュレータ；及び
該モジュレータと該少なくとも２つのアンテナのうちの１つの間に接続された遅延回路、該遅延回路は該モジュレータから該アンテナに出力されるシンボルを時間とともに変化する遅延ピリオドにしたがって遅延させる。
【請求項１６】
請求項１５の送信機、ここにおいて、該遅延回路は、該モジュレータによって該アンテナに出力される連続した複数のシンボル間で異なるように該遅延ピリオドを与える。
【請求項１７】
請求項１５の送信機、ここにおいて、該遅延回路は、該シンボルの該位置に対応して変化する数で掛け算した定数に等しいサンプル・ピリオドの数だけ連続した複数のシンボル間で異なるように該遅延ピリオドを与える。
【請求項１８】
請求項１５の送信機、ここにおいて、該遅延回路は、いずれかの他の連続したシンボルに対してランダムな数のサンプル・ピリオドだけ連続した複数のシンボル間で異なるように該遅延ピリオドを与える。
【請求項１９】
請求項１５の送信機、ここにおいて、該遅延回路は、ｆ（ｘ）サンプル・ピリオドだけ連続した複数のシンボル間で異なるように該遅延ピリオドを与える、ここで、ｆは関数であり、そしてｘは該シンボルの位置にしたがって変化する数である。
【請求項２０】
請求項１５の送信機、該送信機は、該遅延回路と該アンテナとの間に接続されたスケーリング回路をさらに具備する。
【請求項２１】
請求項１５の送信機、ここにおいて、該モジュレータは、シンボルを変調するために周波数帯域の異なるキャリア周波数を利用する。
【請求項２２】
請求項１５の送信機、ここにおいて、該モジュレータ及び該遅延回路は、プロセッサを備える。
【請求項２３】
請求項１５の送信機、ここにおいて、該少なくとも２つのアンテナは、少なくとも３つのアンテナを備える、該送信機は、該モジュレータと該少なくとも３つのアンテナのうちの別の１つとの間に接続された別の１つの遅延回路を備え、該別の１つの遅延回路は、時間とともに変化する別の１つの遅延ピリオドを与える、ここにおいて、該別の１つの遅延ピリオド及び該遅延ピリオドは各シンボルに対して異なる。
【請求項２４】
請求項２３の送信機、ここにおいて、該遅延ピリオドは、該モジュレータによって該アンテナに出力される連続した複数のシンボル間で異なり、そして該別の１つの遅延ピリオドは、該モジュレータによって該別の１つのアンテナに出力される連続した複数のシンボル間で異なる、そしてここにおいて、連続した複数のシンボル間の該遅延ピリオドは、ｎ＊β個のサンプルだけ変化し、そして連続した複数のシンボル間の該別の１つの遅延ピリオドは、ｎ＊（β＋ｋ）個のサンプルだけ変化する。
【請求項２５】
請求項２５の送信機、該送信機は、該モジュレータと該遅延回路との間に接続された巡回プリフィックス発生器回路をさらに具備する。
【請求項２６】
ワイアレス送信機、該ワイアレス送信機は下記を具備する：
少なくとも２つのアンテナ；及び
該アンテナに接続されたメモリ、該メモリは各々が複数のサンプルを備える複数のシンボルを記憶する、ここにおいて、該メモリは、該２つのアンテナのうちの１つのアンテナに第１の遅延の後で該複数のシンボルの第１のシンボル及び該１つのアンテナに第２の遅延の後で該複数のシンボルの第２のシンボルの該複数のサンプルを出力する、ここにおいて、該第１の遅延と該第２の遅延は異なる。
【請求項２７】
請求項２６のワイアレス送信機、ここにおいて、該第２の遅延は、該第１の遅延よりｎ＊β個のサンプルだけ大きい、ここで、ｎはシンボル・ストリーム中の該第２のシンボルの順序を示す位置であり、そしてβは定数である。
【請求項２８】
請求項２６のワイアレス送信機、ここにおいて、該第１の遅延は、ｆ（ｘ）サンプルであり、そして該第２の遅延は、ｆ（ｘ＋１）サンプルである、ここで、ｆは関数である。
【請求項２９】
請求項２６のワイアレス送信機、ここにおいて、該メモリは、バッファを備える。
【請求項３０】
請求項２６のワイアレス送信機、該ワイアレス送信機は、メモリ中に該複数のシンボルを記憶することに先立って該複数のシンボルの各々に巡回プリフィックスを付加する該メモリに接続された巡回プリフィックス発生器をさらに具備する。
【請求項３１】
請求項２６のワイアレス送信機、ここにおいて、該少なくとも２つのアンテナは、少なくとも３つのアンテナを備える、ここにおいて、該メモリは、第３の遅延の後で該少なくとも３つのアンテナのうちの別の１つに該第１のシンボルを与え、そして第４の遅延の後で該第２のシンボルを与える、ここにおいて、該第１の遅延、該第２の遅延、該第３の遅延、及び該第４の遅延は互いに全て異なる。
【請求項３２】
請求項２６のワイアレス送信機、ここにおいて、該第２の遅延は、該第１の遅延からｎ＊β個のサンプルだけ変化し、そして該第４の遅延は、該第３の遅延からｎ＊（β＋ｋ）個のサンプルだけ変化する、ここで、ｎはシンボル・ストリーム中のシンボルの位置であり、そしてβ及びｋは定数である。
【請求項３３】
複数のシンボルを送信するための送信機、該送信機は下記を具備する：
複数のアンテナ：
該複数のアンテナを介した送信のために複数のシンボルを変調する該複数のアンテナに接続されたモジュレータ；及び
該モジュレータによって出力される各シンボルの遅延を与えるため、そして該モジュレータによって出力される連続した複数のシンボル間で該遅延を変化させるための手段。
【請求項３４】
請求項３３の送信機、ここにおいて、該与えるための手段は、ｎ＊β個のサンプルだけ変化する連続した複数のシンボル間に遅延を与えるための手段を具備する、ここで、ｎはシンボル・ストリーム中の該第２のシンボルの順序を示す位置であり、そしてβは定数である。
【請求項３５】
請求項３３の送信機、ここにおいて、該与えるための手段は、ランダムな数のサンプルだけ変化する連続した複数のシンボル間に遅延を与えるための手段を具備する。
【請求項３６】
請求項３３の送信機、ここにおいて、該与えるための手段は、ｆ（ｘ）サンプルにしたがって変化する連続した複数のシンボル間に遅延を与えるための手段を具備する、ここで、ｆは関数である。
【請求項３７】
請求項３３の送信機、該送信機は、複数のキャリア周波数を利用する該複数のシンボルを変調するモジュレータをさらに具備する。
【請求項３８】
請求項３３の送信機、該送信機は、該複数のシンボルの各々に与えられた該遅延にスカラ・シフトを与えるための手段をさらに具備する。
【請求項３９】
請求項３３の送信機、該送信機は、該複数のシンボルの各々にＮ個のサンプルの巡回プリフィックスを添付するための手段をさらに具備する。
【請求項４０】
送信機、該送信機は下記を具備する：
少なくとも３つのアンテナ；
該少なくとも３つのアンテナに接続されたモジュレータ；
該モジュレータと該少なくとも２つのアンテナのうちの１つとの間に接続された第１の遅延回路、該第１の遅延回路は該モジュレータから該アンテナに出力されるシンボルを時間とともに変化する遅延ピリオドにしたがって遅延させる；
該モジュレータと該少なくとも２つのアンテナのうちの別の１つとの間に接続された第２の遅延回路、該第１の遅延回路は該モジュレータから該別の１つのアンテナに出力されるシンボルを時間とともに変化する別の１つの遅延ピリオドにしたがって遅延させる；    ここにおいて、該別の１つの遅延ピリオド及び該遅延ピリオドは異なる。
【請求項４１】
請求項４０の送信機、ここにおいて、該遅延回路は、該モジュレータによって該アンテナに出力される連続した複数のシンボル間で異なるように該遅延ピリオドを与え、そして該別の１つの遅延回路は、該モジュレータによって該別の１つのアンテナに出力される連続した複数のシンボル間で異なるように該別の１つの遅延ピリオドを与える。
【請求項４２】
請求項４０の送信機、ここにおいて、該遅延回路は、該シンボルの位置に対応して変化する数で掛け算した定数に等しいサンプル・ピリオドの数だけ連続した複数のシンボル間で異なるように該遅延ピリオドを与え、そして該別の１つの遅延回路は、該シンボルの該位置に対応して変化する数で掛け算した別の１つの定数に等しいサンプル・ピリオドの数だけ連続した複数のシンボル間で異なるように該別の１つの遅延ピリオドを与える。
【請求項４３】
請求項４０の送信機、ここにおいて、該別の１つの遅延回路は、いずれかの他の連続したシンボルに関してランダムな数のサンプル・ピリオドだけ連続した複数のシンボル間で異なるように該遅延ピリオドを与える。
【請求項４４】
請求項４０の送信機、ここにおいて、該遅延回路は、ｆ（ｘ）サンプル・ピリオドだけ連続した複数のシンボル間で異なるように該遅延ピリオドを与える、ここで、ｆは関数であり、そしてｘは該シンボルの位置にしたがって変化する数であり、そして該別の１つの遅延回路は、ｇ（ｘ）サンプル・ピリオドだけ連続した複数のシンボル間で異なるように該別の１つの遅延ピリオドを与える、ここで、ｇはｆとは異なる関数であり、そしてｘは該シンボルの該位置にしたがって変化する数である。
【請求項４５】
請求項４０の送信機、該送信機は、該遅延回路と該アンテナとの間に接続されたスケーリング回路、及び該別の１つの遅延回路と該別の１つのアンテナとの間に接続された別の１つのスケーリング回路をさらに具備する。
【請求項４６】
請求項４０の送信機、ここにおいて、該モジュレータは、シンボルを変調するために周波数帯域の異なるキャリア周波数を利用する。
【請求項４７】
請求項４０の送信機、該送信機は、モジュレータと該遅延回路との間に接続された巡回プリフィックス発生器回路、及び該モジュレータと該別の１つの遅延回路との間に接続された別の１つの巡回プリフィックス発生器回路をさらに具備する。
【請求項４８】
多重チャネル通信システムにおいて送信ダイバーシティを与えるための方法、該方法は下記を具備する：
第１のアンテナ上で送信されようとしている第１のシンボルに第１の位相シフトを与えること、該第１のシンボルは第１の複数のサンプルを備える；及び
第２のアンテナ上で送信されようとしている該第１のシンボルに、該第１の位相シフトとは異なる第２の位相シフトを与えること、第２のシンボルは第２の複数のサンプルを備える。
【請求項４９】
請求項４８の方法、該方法は、該第１のアンテナ上で送信されようとしている第２のシンボルに第３の位相シフトを与えること、及び該第２のアンテナ上で送信されようとしている該第２のシンボルに第４の位相シフトを与えることをさらに具備する、ここにおいて、該第１の位相シフト、該第２の位相シフト、該第３の位相シフト、及び該第４の位相シフトは互いに全て異なる。
【請求項５０】
請求項４９の方法、ここにおいて、該第２のシンボルは、該第１のシンボルの直後に送信される。
【請求項５１】
請求項４９の方法、ここにおいて、該第１のシンボル及び該第２のシンボルは、同じシンボル・ストリームの連続しないシンボルである。
【請求項５２】
請求項４９の方法、ここにおいて、該第１のシンボル及び該第２のシンボルは、異なるフレームでそれぞれ送信される。
【請求項５３】
請求項４９の方法、該方法は、異なるキャリア周波数にしたがって該第１のシンボル及び該第２のシンボルを変調することをさらに具備する。
【請求項５４】
請求項４８の方法、ここにおいて、該第１の位相シフト及び該第２の位相シフトは、フィードバック情報に基づいて決定される。
【請求項５５】
請求項４８の方法、該方法は、送信に先立って該第１のシンボルにＩＦＦＴ操作を適用することをさらに具備する。
【請求項５６】
送信機、該送信機は下記を具備する：
少なくとも２つのアンテナ；
該少なくとも２つのアンテナに接続されたモジュレータ；及び
該モジュレータと該少なくとも２つのアンテナのうちの１つの間に接続された位相シフト回路、該位相シフト回路は該モジュレータによって該アンテナに出力されるシンボルに時間とともに変化する位相シフトにしたがって位相シフトを与える。
【請求項５７】
請求項５６の送信機、ここにおいて、該位相シフト回路は、該モジュレータによって該アンテナに出力される連続した複数のシンボル間で異なるように該位相シフトを与える。
【請求項５８】
請求項５６の送信機、ここにおいて、該位相シフト回路は、該シンボルの位置に対応して変化する数で掛け算した一定角度に等しい位相にしたがって連続した複数のシンボル間で異なるように該位相シフトを与える。
【請求項５９】
請求項５６の送信機、ここにおいて、該位相シフト回路は、いずれかの他の連続したシンボルに関してランダムな位相だけ複数のシンボル間で異なるように該位相シフトを与える。
【請求項６０】
請求項５６の送信機、ここにおいて、該モジュレータは、シンボルを変調するために周波数帯域の異なるキャリア周波数を利用する。
【請求項６１】
請求項５６の送信機、ここにおいて、該モジュレータ及び該位相シフト回路は、プロセッサを備える。
【請求項６２】
請求項５６の送信機、ここにおいて、該少なくとも２つのアンテナは、少なくとも３つのアンテナを備える、該送信機は該モジュレータと該少なくとも３つのアンテナのうちの別の１つとの間に接続された別の１つの位相シフト回路をさらに備え、該別の１つの位相シフト回路は時間とともに変化する別の１つの位相シフトを与える、ここにおいて、該別の１つの位相シフト及び該シフトは各シンボルに対して異なる。
【請求項６３】
請求項５６の送信機、該送信機は、該位相シフト回路の出力に接続されたＩＦＦＴブロックをさらに具備する。
【発明の詳細な説明】
【技術分野】
【０００１】
本出願は、米国特許仮出願番号第６０／５７２，１３７号、名称“ＯＦＤＭの巡回遅延ダイバーシティを時間変化させるシステム（Systems Time Varying Cyclic Delay Diversity of OFDM）”、２００４年５月１７日出願、に優先権を主張し、そして本出願の譲受人に譲渡されている。
【０００２】
本出願は、一般にワイアレス通信に係り、そして他のものの中で多重アンテナ・システムにおける信号送信に関する。
【背景技術】
【０００３】
ワイアレス通信システムにおいて、送信機からのＲＦ変調された信号は、複数の伝播パスを介して受信機に到達することがある。伝播パスの特性は、一般的にフェーディング及びマルチパスのような複数の要因のために時間とともに変化する。有害なパス効果に対するダイバーシティを提供するため、そして性能を向上させるために、複数の送信アンテナ及び受信アンテナが使用されることがある。多元入力多元出力（ＭＩＭＯ：multi-input multi-output）通信システムは、データ送信のために複数の（ＮＴ個の）送信アンテナ及び複数の（ＮＲ個の）受信アンテナを採用する。ＮＴ個の送信アンテナ及びＮＲ個の受信アンテナによって形成されたＭＩＭＯチャネルは、ＮＳ≦ｍｉｎ｛ＮＴ，ＮＲ｝である、ＮＳ個の独立したチャネルに分解されることができる。ＮＳ個の独立したチャネルの各々は、同様に、ＭＩＭＯチャネルの空間サブ・チャネル（又は送信チャネル）として呼ばれることがあり、そして規模に対応する。
【０００４】
送信アンテナと受信アンテナとの間の伝播パスが線形的に独立している（すなわち、１つのパス上の送信は、別の複数のパス上の送信の線形結合として形成されない）のであれば、これは一般的に少なくともある程度は真実であり、データ送信を正確に受信する見込みは、アンテナの数が増加するとともに増大する。一般に、送信アンテナの数及び受信アンテナの数が増加するとともに、ダイバーシティは増加し、そして性能は向上する。
【０００５】
チャネルのダイバーシティをさらに向上させるために、送信ダイバーシティ技術は利用されることができる。多くの送信ダイバーシティ技術が、捜し求められてきている。そのような技術の１つが、送信遅延ダイバーシティである。送信遅延ダイバーシティでは、送信機は、同じ信号を送信する２つのアンテナを利用し、第２のアンテナは第１のアンテナによって送信されたものの遅延したレプリカを送信する。そうすることによって、第２のアンテナは、受信機において集められることができる独立したマルチパス要素の第２のセットを設定することによってダイバーシティを創り出す。もし、第１の送信機によって生成されたマルチパスがフェードするのであれば、第２の送信機によって生成されるマルチパスは、許容可能な信号対ノイズ比（ＳＮＲ：Signal-To-Noise Ratio）が受信機において維持されるケースにはないことがある。この技術は、複合ＴＸ０＋ＴＸ１チャネルだけが受信機において推定されるという理由で、実行することが容易である。送信遅延ダイバーシティについての最大の欠点は、チャネルの実効遅延広がりを増加させることであり、そして第２のアンテナによって導入されたマルチパスが第１のアンテナのマルチパスになり、そして有害に相互作用する時に、十分に機能しないことがあり、それによってダイバーシティの全体のレベルを低下させる。
【０００６】
標準遅延ダイバーシティ問題を取り扱うために、さらなる遅延ダイバーシティ技術が、開発されてきている。そのような技術の１つは、巡回遅延ダイバーシティと呼ばれる。巡回遅延は、ｎｊ個のシンボルの各シンボルのサンプルが順番にシフトされるものであり、その順番でそれらがシンボルの一部分として送信される。シンボルの実効的な部分を越えるそれらのサンプルは、そのシンボルの始めに送信される。そのような技術では、プリフィックス（接頭語）が、各サンプルの前に付けられ、それはシンボルの一部分として特定のアンテナからサンプルを送信するために遅延又は順番を固定させる。巡回的な遅延は、より長い遅延を認める、しかしながら、それはそれ以外にはシンボル間干渉を回避するためにガード・インターバル・ピリオドの一部分に制限されるはずである。
【０００７】
巡回遅延ダイバーシティ体系は、チャネルに周波数選択性を導入することができ、そしてそれゆえ、フラット・チャネルに対するダイバーシティの恩恵を提供することができる。しかしながら、チャネルが時間選択的でなくそしてそれ自身が時間選択的でない時に、何の時間ダイバーシティも提供しない。例えば、２個の送信アンテナがスロー・フェーディングである又はスタティックなチャネルにある場合に、巡回シフトΔｍは、２つのチャネル、例えば、Ｈ１（ｎ）及びＨ２（ｎ）、が常に消極的な（又は積極的な）判断を下すようにすることができる。
【０００８】
それゆえ、ダイバーシティを与えるために利用されるチャネルの消極的な追加又は積極的な追加の可能性を最小にする遅延ダイバーシティ体系を提供することが望まれる。
【特許文献１】米国特許出願第０９／９９３，０８７号明細書。
【特許文献２】米国特許出願第０９／８５４，２３５号明細書。
【特許文献３】米国特許出願第０９／８２６，４８１号明細書。
【特許文献４】米国特許出願第０９／９５６，４４４号明細書。
【特許文献６】米国特許出願第０９／９５６，４４９号明細書。
【特許文献７】米国特許出願第０９／７７６，０７５号明細書。
【特許文献８】米国特許出願第０９／５３２，４９２号明細書。
【発明の概要】
【０００９】
１態様では、送信ダイバーシティを与えるための方法は、第１の遅延ピリオドの後で第１のシンボルを第１のアンテナに与えること、該第１の遅延ピリオドとは異なる第２の遅延ピリオドの後で第２のシンボルを該第１のアンテナに与えること、そして該第１の遅延ピリオド及び該第２の遅延ピリオドとは異なる第３の遅延ピリオドの後で第３のシンボルを該第１のアンテナに与えることを具備する。
【００１０】
別の１態様では、送信機は、少なくとも２つのアンテナ、モジュレータ、及び該モジュレータから該アンテナへ出力されるシンボルを時間とともに変化する遅延ピリオドにしたがって遅延させる遅延回路を具備する。
【００１１】
その上に１態様では、ワイアレス送信機は、少なくとも２つのアンテナ、及び複数のサンプルを各々が備える複数のシンボルを記憶するものを具備し、ここにおいて、メモリは、該２つのアンテナのうちの１つのアンテナに第１の遅延の後で第１のシンボルの複数のサンプルを出力し、そして該１つのアンテナに第２の遅延の後で該複数のシンボルの第２のシンボルを出力する。該第１の遅延及び該第２の遅延は異なる。
【００１２】
さらなる１態様では、送信機は、少なくとも３つのアンテナ、モジュレータ、該モジュレータと該少なくとも２つのアンテナのうちの１つとの間に接続された第１の遅延回路、該第１の遅延回路は該モジュレータから該アンテナに出力されるシンボルを時間とともに変化する遅延ピリオドにしたがって遅延させる、及び該モジュレータと該少なくとも２つのアンテナのうちの別の１つとの間に接続された第２の遅延回路、該第１の遅延回路は該モジュレータから該別の１つのアンテナに出力されるシンボルを時間とともに変化する別の１つの遅延ピリオドにしたがって遅延させる。該別の１つの遅延ピリオド及び該遅延ピリオドは異なる。
【００１３】
さらに別の１態様では、多重チャネル通信システムにおいて送信ダイバーシティを与えるための方法は、第１のアンテナ上で送信されようとしている第１のシンボルに第１の位相シフトを与えること、及び第２のアンテナ上で送信されようとしている該第１のシンボルに、該第１の位相シフトとは異なる第２の位相シフトを与えることを具備する。
【００１４】
しかもさらなる１態様では、送信機は、少なくとも２つのアンテナ、モジュレータ、及び該モジュレータによって該アンテナに出力されるシンボルに時間とともに変化する位相シフトにしたがった位相シフトを与える位相シフトを具備する。
【図面の簡単な説明】
【００１５】
【図１】図１は、ＭＩＭＯシステムにおける送信機システム及び受信機システムの１実施形態のブロック図を図示する。
【図２】図２は、時間変化する遅延ダイバーシティを与える送信機ユニットの１実施形態のブロック図を図示する。
【図３】図３は、同じアンテナから送信されるシンボルに適用される時間変化する遅延の１実施形態を図示する。
【図４】図４は、複数のアンテナから送信されるシンボルに適用される時間変化する遅延の１実施形態を図示する。
【図５】図５は、時間変化する遅延ダイバーシティを与える送信機ユニットの別の１つの実施形態のブロック図を図示する。
【図６】図６は、時間変化する遅延ダイバーシティを利用することが可能な受信機ユニットの１実施形態のブロック図を図示する。
【図７】図７は、遅延素子の１実施形態のブロック図を図示する。
【図８】図８は、時間変化するダイバーシティを与えるための方法の１実施形態のフローチャートを図示する。
【図９】図９は、時間変化する遅延ダイバーシティを与える送信機ユニットのさらなる実施形態のブロック図を図示する。
【図１０】図１０は、時間変化するダイバーシティを与えるための方法のさらなる実施形態のフローチャートを図示する。
【発明を実施するための形態】
【００１６】
本発明の特徴、目的、及び利点は、図面を使用して以下に述べる詳細な説明から、さらに明確になるであろう。図面では、一貫して対応するものは同じ参照符号で識別する。
【００１７】
添付された図面とともに以下に記載される詳細な説明は、具体例の実施形態の説明として意図されており、そして本発明がその実施形態の中で実行されることができる実施形態だけを表すように意図されていない。本明細書の全体を通して使用される用語“具体例の”は、 “例、事例、あるいは例証として機能すること”を意味し、そして他の実施形態に対して好ましい又は有利であると解釈される必要はない。詳細な説明は、本発明の完全な理解を与える目的のために具体的な詳細を含む。しかしながら、本発明がこれらの具体的な詳細を用いずに実行され得ることは、当業者に明らかであろう。ある例では、周知の構造及びデバイスが、本発明の概念を不明瞭にすることを避けるためにブロック図形式で示される。
【００１８】
多重チャネル通信システムは、多元入力多元出力（ＭＩＭＯ：multiple-input multiple- output）通信システム、直交周波数分割多重（ＯＦＤＭ：orthogonal frequency division multiplexing）通信システム、ＯＦＤＭを採用するＭＩＭＯシステム（すなわち、ＭＩＭＯ−ＯＦＤＭシステム）、及びその他のタイプの送信を含む。明確化のために、種々の態様及び実施形態が、ＭＩＭＯシステムに関して具体的に記載される。
【００１９】
ＭＩＭＯシステムは、データ通信のために複数の（ＮＴ個の）送信アンテナ及び複数の（ＮＲ個の）受信アンテナを採用する。ＮＴ個の送信アンテナ及びＮＲ個の受信アンテナによって形成されるＭＩＭＯチャネルは、ＮＳ個の独立したチャネルに分解されることができる。ここで、ＮＳ≦ｍｉｎ｛ＮＴ，ＮＲ｝である。ＮＳ個の独立したチャネルの各々は、同様に、ＭＩＭＯチャネルの空間サブチャネル（又は送信チャネル）と呼ばれることがある。空間サブチャネルの数は、ＭＩＭＯチャネルの固有モードの数によって決定され、これは順番にチャネル応答行列、Ｈ、に依存する。チャネル応答行列は、ＮＴ個の送信アンテナとＮＲ個の受信アンテナとの間の応答を説明する。チャネル応答行列、Ｈ、の要素は、独立したガウス・ランダム変数、｛ｈｉ，ｊ｝、ｉ＝１，２，．．．，ＮＲ、そしてｊ＝１，２，．．．，ＮＴに対して、からなる。ここで、ｈｉ，ｊは、ｊ番目の送信アンテナとｉ番目の受信アンテナとの間のカップリング（すなわち、複素ゲイン）である。単純化のために、チャネル応答行列、Ｈ、は、フル−ランク（すなわち、ＮＳ＝ＮＴ≦ＮＲ）であると仮定され、そして１つの独立したデータ・ストリームは、ＮＴ個の送信アンテナの各々から送信されることができる。
【００２０】
図１は、ＭＩＭＯシステム１００における送信機システム１１０及び受信機システム１５０の１実施形態のブロック図である。送信機システム１１０において、複数のデータ・ストリームに関するトラフィック・データは、データ・ソース１１２から送信（ＴＸ）データ・プロセッサ１１４に与えられる。１つの実施形態では、各データ・ストリームは、それぞれの送信アンテナを介して送信される。ＴＸデータ・プロセッサ１１４は、各データ・ストリームに関するトラフィック・データをそのデータ・ストリームに対して選択された固有のコーディング体系に基づいてフォーマットし、コード化し、そしてインターリーブして、コード化されたデータを与える。
【００２１】
各データ・ストリームに対するコード化されたデータは、例えば、時分割多重化（ＴＤＭ：time division multiplexing）又はコード分割多重化（ＣＤＭ：code division multiplexing）を使用してパイロット・データを用いて多重化されることができる。パイロット・データは、一般的に（あったとしても）公知の方法で処理される公知のデータ・パターンであり、そしてチャネル応答を推定するために受信機システムにおいて使用されることができる。各データ・ストリームに対する多重化されたパイロット・データ及びコード化されたデータは、その後、変調シンボルを与えるためにそのデータ・ストリームに対して選択された固有の変調体系（例えば、ＢＰＳＫ，ＱＳＰＫ，Ｍ−ＰＳＫ，又はＭ−ＱＡＭ）に基づいて変調される（すなわち、シンボル・マップされる）。各データ・ストリームに対するデータ・レート、コーディング、及び変調は、プロセッサ１３０によって提供される制御により決定されることができる。
【００２２】
全てのデータ・ストリームに対する変調シンボルは、その後、ＴＸ  ＭＩＭＯプロセッサ１２０に与えられ、ＴＸ  ＭＩＭＯプロセッサ１２０は、（例えば、ＯＦＤＭに関する）変調シンボルをさらに処理することができる。ＴＸ  ＭＩＭＯプロセッサ１２０は、その後、ＮＴ個の送信機（ＴＭＴＲ）１２２ａから１２２ｔにＮＴ個の変調シンボル・ストリームを与える。各送信機１２２は、１又はそれより多くのアナログ信号を与えるためにそれぞれのシンボル・ストリームを受信しそして処理する、そしてＭＩＭＯチャネルを介した送信のために適した変調された信号を与えるためにアナログ信号をさらに調整する（例えば、増幅し、フィルタし、そしてアップコンバートする）。送信機１２２ａから１２２ｔからのＮＴ個の変調された信号は、それからそれぞれＮＴ個のアンテナ１２４ａから１２４ｔから送信される。
【００２３】
受信機システム１５０において、送信された変調された信号は、ＮＲ個のアンテナ１５２ａから１５２ｒによって受信され、そして各アンテナ１５２からの受信された信号は、それぞれの受信機（ＲＣＶＲ）１５４に与えられる。各受信機１５４は、それぞれの受信した信号を調整し（例えば、フィルタし、増幅し、そしてダウンコンバートし）、サンプルを与えるために調整された信号をディジタル化し、そして対応する“受信した”シンボル・ストリームを与えるためにサンプルをさらに処理する。
【００２４】
ＲＸ  ＭＩＭＯ／データ・プロセッサ１６０は、それから固有の受信機処理技術に基づいてＮＲ個の受信機１５４からのＮＲ個の受信したシンボル・ストリームを受け取りそして処理して、ＮＴ個の“検出された”シンボル・ストリームを与える。ＲＸ  ＭＩＭＯ／データ・プロセッサ１６０による処理は、下記にさらに詳細に説明される。各検出されたシンボル・ストリームは、対応するデータ・ストリームに対して送信された変調シンボルの推定値であるシンボルを含む。ＲＸ  ＭＩＭＯ／データ・プロセッサ１６０は、それから各検出されたシンボル・ストリームを復調し、デインターリーブし、そしてデコードして、データ・ストリームに関するトラフィック・データを再生する。ＲＸ  ＭＩＭＯ／データ・プロセッサ１６０による処理は、送信機システム１１０においてＴＸ  ＭＩＭＯプロセッサ１２０及びＴＸデータ・プロセッサ１１４によって実行されたものに相補的である。
【００２５】
ＲＸ  ＭＩＭＯプロセッサ１６０は、例えば、トラフィック・データを用いて多重化されたパイロットに基づいて、ＮＴ個の送信アンテナとＮＲ個の受信アンテナとの間のチャネル応答の推定値を導出できる。チャネル応答推定値は、受信機において空間処理又は空間／時間処理を実行するために使用されることができる。ＲＸ  ＭＩＭＯプロセッサ１６０は、検出されたシンボル・ストリームの信号−対−ノイズ−及び−干渉比（ＳＮＲ：signal-to-noise-and-interference ratio）、及びおそらくその他のチャネル特性を推定でき、そしてプロセッサ１７０にこれらの量を与える。ＲＸ  ＭＩＭＯ／データ・プロセッサ１６０又はプロセッサ１７０は、システムに対する“動作上の”ＳＮＲの推定値をさらに導出でき、それは通信リンクの状態の指標である。プロセッサ１７０は、それからチャネル状態情報（ＣＳＩ：channel state information）を与え、それは通信リンク及び／又は受信したデータ・ストリームに関する種々のタイプの情報を備えることができる。例えば、ＣＳＩは、動作上のＳＮＲだけを備えることがある。ＣＳＩは、その後、ＴＸデータ・プロセッサ１７８によって処理され、モジュレータ１８０によって変調され、受信機１５４ａから１５４ｒによって調整され、そして送信機システム１１０に送信して戻される。
【００２６】
送信機システム１１０において、受信機システム１５０からの変調された信号は、アンテナ１２４によって受信され、受信機１２２によって調整され、デモジュレータ１４０によって復調され、そしてＲＸデータ・プロセッサ１４２によって処理されて、受信機システムによって報告されるＣＳＩを再生する。報告されたＣＳＩは、その後、プロセッサ１３０に与えられて、（１）データ・ストリームに対して使用されるべきデータ・レート及びコーディング体系と変調体系を決定し、そして（２）ＴＸデータ・プロセッサ１１４及びＴＸ  ＭＩＭＯプロセッサ１２０に対する種々の制御を生成する。
【００２７】
プロセッサ１３０及び１７０は、適切な送信データ・プロセッサ及び受信データ・プロセッサを含むプロセッサに接続されている送信機システム及び受信機システムにおける動作を管理する。メモリ１３２及び１７２は、それぞれプロセッサ１３０及び１７０によって使用されるプログラム・コード及びデータに対する記憶場所を与える。
【００２８】
ＯＦＤＭ  ＭＩＭＯシステムに関するモデルは、次式で表される。  
ｙ＝Ｈｘ＋ｎ                                                    式（１）        ここで、ｙは、受信されたベクトル、すなわち、ｙ＝［ｙ１  ｙ２．．．ｙＮＲ］Ｔ、であり、ここで｛ｙｉ｝はｉ番目の受信アンテナで受信されたエントリであり、そしてｉ∈｛１，．．．，ＮＲ｝であり、  
ｘは、送信されたベクトル、すなわち、ｘ＝［ｘ１  ｘ２．．．ｘＮＴ］Ｔ、であり、ここで｛ｘｊ｝はｊ番目の送信アンテナで送信されたエントリであり、そしてｊ∈｛１，．．．，ＮＴ｝であり、  
Ｈは、ＭＩＭＯチャネルに関するチャネル応答行列であり、  
ｎは、０の平均ベクトル及びΛｎ＝σ２Ｉの共分散行列を有する付加的な白色ガウス・ノイズ（ＡＷＧＮ：additive white Gaussian noise）であり、ここで０はゼロのベクトルであり、Ｉは対角線にそって１でありそれ以外はゼロの単位行列であり、そしてσ２はノイズの分散であり、そして  
［．］Ｔは［．］の転置行列を表す。  
伝播環境中の散乱のために、ＮＴ個の送信アンテナから送信されたＮＴ個のシンボル・ストリームは、受信機において互いに干渉する。特に、１つの送信アンテナから送信された所与のシンボル・ストリームは、異なる強度及び異なる位相で全てのＮＲ個の受信アンテナによって受信されることがある。各受信された信号は、そのようにしてＮＴ個の送信されたシンボル・ストリームの各々の成分を含むことができる。ＮＲ個の受信した信号は、ＮＴ個の送信されたシンボル・ストリームの全てを包括的に含むはずである。しかしながら、これらのＮＴ個のシンボル・ストリームは、ＮＲ個の受信された信号の間に分散される。
【００２９】
受信機において、各種の処理技術が、ＮＲ個の受信した信号を処理するために使用されることができ、ＮＴ個の送信されたシンボル・ストリームを検出する。これらの受信機処理技術は、２つの主なカテゴリにグループ化されることができる：  
・空間及び空間−時間受信機処理技術（これは等化技術とも呼ばれる）、及び
・“連続的ヌリング／等化及び干渉除去”受信機処理技術（これは“連続的干渉除去”又は“連続的除去”受信機処理技術とも呼ばれる）。
【００３０】
図２は、送信機ユニット２００の一部のブロック図であり、送信機ユニットは、図１の送信機システム１１０のような送信機システムの送信機部分の１実施形態であり得る。１つの実施形態では、別々のデータ・レート及びコーディング体系と変調体系が、ＮＴ個の送信アンテナ上で送信されようとしているＮＴ個のデータ・ストリームの各々に対して使用されることができる（すなわち、アンテナ当りのベースで別々のコーディング及び変調）。各送信アンテナの各々に対して使用されようとしている特定のデータ・レート及びコーディング体系と変調体系は、プロセッサ１３０によって提供される制御に基づいて決定されることができ、そしてデータ・レートは、上に説明されたように決定されることができる。
【００３１】
送信機ユニット２００は、１つの実施形態では、送信データ・プロセッサ２０２を含み、送信データ・プロセッサ２０２は、変調シンボルを与えるために別々のコーディング体系と変調体系にしたがって各データ・ストリームを受信し、コード化し、そして変調し、そして送信ＭＩＭＯ送信データ・プロセッサ２０２及び送信データ・プロセッサ２０４は、それぞれ図１の送信データ・プロセッサ１１４及び送信ＭＩＭＯプロセッサ１２０の１つの実施形態である。
【００３２】
１つの実施形態では、図２に示されたように、送信データ・プロセッサ２０２は、デマルチプレクサ２１０、ＮＴ個のエンコーダ２１２aから２１２ｔ、及びＮＴ個のチャネル・インターリーバ２１４aから２１４ｔ（すなわち、各送信アンテナに対して１セットのデマルチプレクサ、エンコーダ、及びチャネル・インターリーバ）を含む。デマルチプレクサ２１０は、データ送信のために使用されようとしているＮＴ個の送信アンテナに対してＮＴ個のデータ・ストリームにデータ（すなわち、情報ビット）を逆多重化する。ＮＴ個のデータ・ストリームは、レート制御機能性によって決定されるように、異なるデータ・レートに関係することができ、レート制御機能性は、１つの実施形態ではプロセッサ１３０又は１７０（図１）によって提供されることができる。各データ・ストリームは、それぞれのエンコーダ２１２aから２１２ｔに与えられる。
【００３３】
各エンコーダ２１２aから２１２ｔは、それぞれのデータ・ストリームを受信し、そのデータ・ストリームに対して選択された固有のコーディング体系に基づいてコード化して、コード化されたビットを与える。１つの実施形態では、コーディングは、データ送信の信頼性を向上させるために使用されることができる。コーディング体系は、１つの実施形態では、巡回冗長性チェック（ＣＲＣ：cyclic redundancy check）コーディング、畳み込みコーディング、ターボ・コーディング、ブロック・コーディング、又はその他のいずれかの組み合わせを含むことができる。各エンコーダ２１２aから２１２ｔからのコード化されたビットは、その後、それぞれのチャネル・インターリーバ２１４aから２１４ｔに与えられる。チャネル・インターリーバは、固有のインターリービング体系に基づいてコード化されたビットをインターリーブする。インターリービングは、コード化されたビットに対して時間ダイバーシティを与え、データ・ストリームのために使用される送信チャネルに関する平均ＳＮＲに基づいて送信されようとしているデータを通過させ、フェーディングに対処し、そしてさらに各変調シンボルを生成するために使用する複数のコード化されたビット間の相関を除去する。
【００３４】
各チャネル・インターリーバ２１４aから２１４ｔからのコード化されそしてインターリーブされたビットは、送信ＭＩＭＯプロセッサ２０４のそれぞれのシンボル・マッピング・ブロック２２２ａから２２２ｔに与えられる、送信ＭＩＭＯプロセッサ２０４はこれらのビットをマッピングして変調シンボルを生成する。
【００３５】
各シンボル・マッピング・ブロック２２２ａから２２２ｔによって実行されるべき固有の変調体系は、プロセッサ１３０によって提供される変調制御によって決定される。各シンボル・マッピング・ブロック２２２ａから２２２ｔは、ｑｉ個のコード化されそしてインターリーブされたビットのセットをグループ分けして、非バイナリ・シンボルを生成し、そしてさらに選択された変調体系（例えば、ＱＰＳＫ、Ｍ−ＯＳＫ、Ｍ−ＱＡＭ、又は別のある変調体系）に対応する信号コンステレーションの特定の点に各非バイナリ・シンボルをマッピングする。各マッピングされた信号点は、Ｍｊ個のアレイの変調シンボルに対応し、ここで、Ｍｊは、ｊ番目の送信アンテナに対して選択された特定の変調体系に対応し、そしてＭｊ＝２ｑｊである。シンボル・マッピング・ブロック２２２ａから２２２ｔは、それからＮＴ個の変調シンボルのストリームを与える。
【００３６】
図２に図示された特定の実施形態では、送信ＭＩＭＯプロセッサ２０４は、シンボル・マッピング・ブロック２２２ａから２２２ｔとともに、モジュレータ２２４及び逆高速フーリエ変換（ＩＦＦＴ：inverse Fast Fourier transform）ブロック２２２ａから２２６ｔを同様に含む。モジュレータ２２４は、サンプルを変調して、適正なサブバンド上のＮＴ個のストリーム及び送信アンテナに対する変調シンボルを生成する。その上、モジュレータ２２４は、禁止されている（proscribed）パワー・レベルでＮＴ個のシンボル・ストリームの各々を与える。１つの実施形態では、モジュレータ２２４は、プロセッサ、例えば、プロセッサ１３０又は１７０によって制御されるホッピング・シーケンスにしたがってシンボルを変調できる。そのような実施形態では、ＮＴ個のシンボル・ストリームがその周波数で変調される周波数は、各グループに対して又はシンボルのブロック、フレーム、又は送信サイクルのフレームの一部に対して変化することがある。
【００３７】
各ＩＦＦＴブロック２２６ａから２２６ｔは、モジュレータ２２４からそれぞれの変調シンボル・ストリームを受信する。各ＩＦＦＴブロック２２６ａから２２６ｔは、ＮＦ個の変調シンボルのセットをグループ化して、対応する変調シンボル・ベクトルを生成し、そして逆高速フーリエ変換を使用して変調シンボル・ベクトルをその時間ドメイン表示（これはＯＦＤＭシンボルと呼ばれる）に変換する。ＩＦＦＴブロック２２６ａから２２６ｔは、任意の数の周波数サブチャネル（例えば、８，１６，３２，．．．，ＮＦ）上に逆変換を実行するように設計されることができる。
【００３８】
ＩＦＦＴブロック２２６ａから２２６ｔによって発生された変調シンボル・ベクトルの各時間ドメイン表示は、関係付けられた巡回プリフィックス発生器２２８ａから２２８ｔに与えられる。巡回プリフィックス発生器２２８ａから２２８ｔは、一定数のサンプルのプリフィックスを前に付け加える、一定数のサンプルは、一般に、ＯＦＤＭシンボルの終わりから対応する送信シンボルを生成するためにＯＦＤＭシンボルを構成するＮＳ個のサンプルまでのサンプルの数である。プリフィックスは、周波数選択的フェーディングによって引き起こされるチャネルずれのような有害なパス効果に対して性能を向上させるように設計される。巡回プリフィックス発生器２２８ａから２２８ｔは、それから送信シンボルのストリームを関係付けられた遅延素子２３０ａから２３０ｔ−１に与える。
【００３９】
各遅延素子２３０ａから２３０ｔ−１は、巡回プリフィックス発生器２２８ａから２２８ｔから出力される各シンボルに遅延を与える。１つの実施形態では、各遅延素子２３０ａから２３０ｔ−１によって与えられる遅延は、時間で変化する。１つの実施形態では、この遅延は、遅延が巡回プリフィックス発生器によって出力される連続した複数のシンボル間で変化するように又は送信機ユニット２００から連続的に送信されようとしている連続した複数のシンボル間で変化するようになる。他の実施形態では、遅延は、各シンボルが同じ遅延を有するグループの中の２，３，４、又はそれより多くの複数のシンボル間で変化することがある。さらなる実施形態では、フレーム内の又はバースト・ピリオド内のシンボルの全てが、各シンボルに対して前の又は次のフレーム又はバースト・ピリオドとは異なる遅延を有する各フレーム又はバースト・ピリオドで同じ遅延を有するはずである。
【００４０】
同様に、図２に示された実施形態では、各遅延素子２３０ａから２３０ｔ−１によって与えられる遅延は、互いの遅延素子によって与えられる遅延とは異なる。さらに、図２は巡回プリフィックス発生器２２８ａが遅延素子に接続されていないことを図示するが、別の実施形態は、巡回プリフィックス発生器２２８ａから２２８ｔの各々の出力に遅延素子を与えることができる。
【００４１】
遅延素子２３０ａから２３０ｔ−１によって出力されたシンボルは、関係付けられた送信機２３２ａから２３２ｔに与えられ、送信機は、遅延素子２３０ａから２３０ｔ−１によって与えられる遅延にしたがってアンテナ２３２ａから２３２ｔによってシンボルが送信されるようにする。
【００４２】
上に述べたように、１つの実施形態では、各遅延素子２３０ａから２３０ｔ−１によって与えられる時間変化する遅延Δｍは、時間とともに変化する。１つの実施形態では、ｉ番目のＯＦＤＭシンボルは、式２の遅延にしたがってアンテナｍから送信されるシンボルとして送信される：
【数１】
2010273377.tif 000003
【００４３】
このケースでの結果としての全体のチャネルは、次のように表される
【数２】
2010273377.tif 000004
【００４４】
ここで、Ｈｍ（ｉ，ｎ）は、ｍ番目の送信しているアンテナから受信しているアンテナへのチャネル・インパルス応答に関するチャネルｎ番の離散型フーリエ変換（ＤＦＴ：discrete Fourier Transform）係数である。
【００４５】
この時間変化する遅延の使用は、性能を改善するために利用されることができるチャネルに周波数選択性及び時間選択性の両方を導入することが可能である。例えば、異なるサブキャリア及び異なるＯＦＤＭシンボルにわたる送信シンボルに関する時間変化する遅延を使用することによって、時間選択性及び周波数選択性の両方が、同時に与えられることが可能である。その上、複数のユーザへ送信するケースでは、各ユーザの受信機が互いのユーザの受信機とは異なるチャネル状態を有するので、複数のシンボルに関する遅延を変えることによって与えられるチャネルの時間変化は、複数のユーザの各々へのダイバーシティ・ゲインを与えるために活用されることが可能である。
【００４６】
１つの実施形態では、遅延Δｍ（ｉ）は、各連続するシンボルで、又は連続するシンボルのグループで、時間について線形方式で変化されることができ、ｎ＊βサンプルだけ遅延される。ここで、βは定数であり、そしてｎは０から１，．．．，Ｎ−１まで変化する、ここで、Ｎは、１フレーム中の、バースト・ピリオド中の、又はシンボル・ストリーム中のシンボルの数である。他の１つの実施形態では、遅延Δｍ（ｉ）は、前のシンボル及び／又は次のシンボルのＮＴ個のアンテナのうちの隣接するチャネル、すなわち、アンテナに関する擬似ランダム・シーケンスに基づくランダム遅延であり得る。さらなる実施形態では、遅延は、ｆ（ｘ）によって変化されることができ、ここで、ｆは、正弦関数、余弦関数のような関数、又はその他の時間変化する関数であり、そしてｘは、０から１，．．．，Ｎ−１まで変化する、又はそのあるもの倍数であり、ここで、Ｎは、フレーム中、バースト・ピリオド中、またはシンボル・ストリーム中のシンボルの数である。上記の実施形態の各々において、遅延は、同様に、フィードバック情報に基づいて変えられることができ、そのケースでは、受信機は、全体のチャネル状態を記述するチャネル品質指標を送り返し、そしてΔｍ（ｉ）は、全体の品質を向上させるために変更される。
【００４７】
図３を参照して、同じアンテナから送信されたシンボルに与えられる時間変化する遅延の１実施形態が図示される。シンボルＳ１，Ｓ２，Ｓ３，及びＳ４は、連続するタイム・スロットＴ１，Ｔ２，Ｔ３，及びＴ４のあいだ送信されるように発生される。各シンボルＳ１，Ｓ２，Ｓ３，及びＳ４は、９個のサンプルＮＳ１，ＮＳ２，ＮＳ３，ＮＳ４，ＮＳ５，ＮＳ６，ＮＳ７，ＮＳ８，ＮＳ９及び、それぞれサンプルＮＳ８及びＮＳ９である２−サンプル巡回プリフィックスＮＣ１及びＮＣ２を備える。各サンプルのコンテントがシンボルの各々に対して異なることがあることに注意すべきである。サンプルＮＳ１，ＮＳ２，ＮＳ３，ＮＳ４，ＮＳ５，ＮＳ６，ＮＳ７，ＮＳ８，ＮＳ９は、サンプルＮＳ１，ＮＳ２，ＮＳ３，ＮＳ４，ＮＳ５，ＮＳ６，ＮＳ７，ＮＳ８，ＮＳ９の順番でシンボルＳ１を生成するために統合されようとしていることに注意すべきである。
【００４８】
遅延素子、例えば、遅延素子２３０ａは、その後、同じアンテナから送信されるシンボルＳ１，Ｓ２，Ｓ３，及びＳ４に遅延を与える。図３に示された実施形態では、シンボルＳ１に対する遅延は、１サンプル・ピリオドｔ１である。シンボルＳ１の直後に同じアンテナ上で送信されようとしている次のシンボルＳ２は、２サンプル・ピリオドｔ１及びｔ２だけ遅延される。シンボルＳ２の直後に同じアンテナ上で送信されようとしている次のシンボルＳ３は、３サンプル・ピリオドｔ１，ｔ２及びｔ３だけ遅延される。シンボルＳ３の直後に同じアンテナ上で送信されようとしている次のシンボルＳ４は、４サンプル・ピリオドｔ１，ｔ２，ｔ３及びｔ４だけ遅延される。もし、さらなるシンボルが同じアンテナ上で送信されるのであれば、次の連続するシンボルは、５サンプル・ピリオドｔ１，ｔ２，ｔ３，ｔ４及びｔ５の遅延で送信されるはずである。このようにして、線形の時間変化する遅延が、１つのアンテナからの送信に与えられることができ、そのアンテナは、ＭＩＭＯシステムの一部であることもありそうでないこともある。
【００４９】
遅延ピリオドの線形の変化が、１サンプル・ピリオドずつ連続的である必要はなく、同様に２又はそれより多くのサンプル・ピリオドずつ逐次的であり得る、例えば、第１のシンボルＳ１は、３サンプル・ピリオドだけ遅延されることができ、第２のシンボルＳ２は、６サンプル・ピリオドだけ遅延されることができ、第３のシンボルＳ３は、９サンプル・ピリオドだけ遅延されることができ、そして第４のシンボルＳ４は、１２サンプル・ピリオドだけ遅延されることができる。しかも、線形の変化は、各連続するシンボルの間で変わるだけでなく、シンボルのグループに対して変わる必要がある、例えば、シンボルＳ１及びＳ２は、それぞれ１サンプル・ピリオドずつ遅延され、そしてシンボルＳ３，及びＳ４は、それぞれ２又はそれより多くのサンプル・ピリオドずつ遅延される。
【００５０】
図４を参照して、複数のアンテナ上で送信されるシンボルに与えられる時間変化する遅延の１実施形態が図示される。１つの同じシンボルＳ１が、アンテナＡ１，Ａ２，Ａ３，及びＡ４から送信されようとしている。シンボルＳ１は、９個のサンプルＮＳ１，ＮＳ２，ＮＳ３，ＮＳ４，ＮＳ５，ＮＳ６，ＮＳ７，ＮＳ８，ＮＳ９及び、それぞれサンプルＮＳ及びＮＳ９である２−サンプル巡回プリフィックスＮＣ１及びＮＣ２を備える。第１のアンテナＡ１から、シンボルＳ１は、１つのサンプル・ピリオドも遅延されない。第２のアンテナＡ２から、シンボルＳ１は、１サンプル・ピリオドｔ１だけ遅延される。第３のアンテナＡ３から、シンボルＳ１は、２サンプル・ピリオドｔ１及びｔ２だけ遅延される。第４のアンテナＡ４から、シンボルＳ１は、３サンプル・ピリオドｔ１，ｔ２及びｔ３だけ遅延される。そのようにして、時間ダイバーシティ及び周波数ダイバーシティが、アンテナＡ１，Ａ２，Ａ３，及びＡ４によって与えられる空間ダイバーシティに加えてＭＩＭＯシステムに与えられることができる。
【００５１】
図４に図示された体系及びその変形に対して与えられた時間ダイバーシティは、同じシンボルの同じサンプルによる衝突の可能性の削減を提供し、それによってチャネルの消極的な追加又は積極的な追加の可能性を最小にする。
【００５２】
同じアンテナ上で送信される同じシンボル間の遅延変動は、線形である必要がない、又は別のアンテナの遅延に関係することさえも必要なく、もしシンボルが実質的に同時に送信されようとしている限り、各アンテナにおいて異なる量だけ遅延されるはずであることに、注意すべきである。
【００５３】
利用される順番が、アンテナの数に対応する必要がなく、より小さなグループに対して変えられる、又はアンテナの数よりも多くの数で変化できることに、注意すべきである。
【００５４】
その上、図２に関して論じたように、遅延は、ランダムであることができ、そして正弦関数、余弦関数のような関数、又はその他の関数に基づくことがあり得る。ある複数の実施形態では、遅延ピリオドは、１つのシンボル中のサンプルの数に制限される、ここで、遅延ピリオドは、一定数のシンボル又はランダムなシンボル数の後で繰り返されることができる。しかも、複数のシンボル間の遅延がサンプル・ピリオドの部分であることができ、そしてサンプル・ピリオド全体の倍数であるように制限されないことに注意すべきである。部分遅延は、１つの実施形態では、送信機ユニット２００の１又はそれより多くのクロックのクロック・ピリオドの部分を使用することによって与えられることができる。
【００５５】
図５を参照して、時間変化する遅延ダイバーシティを与える送信機ユニットの別の１つの実施形態のブロック図が図示される。送信機ユニット５００は、送信機ユニット２００と実質的に同一である。その上、スケーリング回路５５４ａから５５４ｔ−１は、遅延素子５３０ａから５３０ｔ−１の１つの出力に各々が接続される。スケーリング回路５３４ａから５３４ｔ−１は、遅延素子５３０ａから５３０ｔ−１の各々によって与えられる遅延に一定のスカラ・シフトを与える。例えば、一定のシフトが、各遅延に与えられ、その結果、例えば０．５の一定のシフトが与えられるのであれば、１サンプル・ピリオド遅延は、０．５サンプル・ピリオドになるはずであり、２−サンプル・ピリオド遅延は、１サンプル・ピリオドになるはずであり、５サンプル・ピリオド遅延は、２．５サンプル・ピリオドになるはずである。１つの実施形態では、スケーリング回路５５４ａから５５４ｔ−１の各々は、互いのスケーリング回路とは異なるシフトを与える。１つの実施形態では、線形数列が、スケーリング回路５５４ａから５３４ｔ−１全体にわたり与えられる、すなわち、スケーリング回路５５４ａは、５５４ｂよりも小さなシフトを与え、５５４ｂは５５４ｃよりも小さく、等である。
【００５６】
図５は、巡回プリフィックス発生器２２８ａが遅延素子に接続されないように図示するが、他の実施形態は、巡回プリフィックス発生器２２８ａから２２８ｔの各々の出力に遅延素子を与えることができることに、注意すべきである。同様に、図５は、巡回プリフィックス発生器２２８ａがスケーリング回路に接続されないように図示するが、他の実施形態は、遅延回路が巡回プリフィックス発生器に接続されるかどうかに拘らず、巡回プリフィックス発生器２２８ａから２２８ｔの各々の出力にスケーリング回路を与えることができる。
【００５７】
図６を参照して、時間変化する遅延ダイバーシティを利用することが可能な受信機ユニットの１実施形態のブロック図が図示される。送信された信号は、アンテナ６０２ａから６０２ｒによって受信され、そしてそれぞれ受信機６０４ａから６０４ｒによって処理されて、ＮＲ個のサンプル・ストリ−ムを与える。これはその後、ＲＸプロセッサ６０６に与えられる。
【００５８】
デモジュレータ６０８の内部で、巡回プリフィックス除去素子６１２ａから６１２ｒ及びＦＦＴブロック６１４ａから６１４ｒは、ＮＲ個のシンボル・ストリームを与える。巡回プリフィックス除去素子６１２ａから６１２ｒは、各送信シンボル内に含まれた巡回プリフィックスを除去し、対応する再生されたＯＦＤＭシンボルを与える。
【００５９】
ＦＦＴブロック６１４ａから６１４ｒは、それから高速フーリエ変換を使用してシンボル・ストリームの各再生されたシンボルを変換して、各送信シンボル・ピリオドの間のＮＦ個の周波数サブチャネルに対するＮＦ個の再生された変調シンボルのベクトルを与える。ＦＦＴブロック６１４ａから６１４ｒは、空間プロセッサ６２０にＮＲ個の受信されたシンボル・ストリームを与える。
【００６０】
空間プロセッサ６２０は、ＮＲ個の受信されたシンボル・ストリームに空間処理又は空間−時間処理を実行して、ＮＴ個の検出されたシンボル・ストリームを与える、これは、ＮＴ個の送信されたシンボル・ストリームの推定値である。空間プロセッサ６２０は、線形ＺＦイコライザ、チャネル相関行列反転（ＣＣＭＩ：channel correlation matrix inversion）イコライザ、最小平均二乗誤差（ＭＭＳＥ：minimum mean square error）イコライザ、ＭＭＳＥ線形イコライザ（ＭＭＳＥ−ＬＥ）、判断フィードバック・イコライザ（ＤＦＥ：decision feedback equalizer）、又はある種のその他のイコライザを与えることができ、これは米国特許出願第０９／９９３，０８７号、第０９／８５４，２３５号、第０９／８２６，４８１号、及び第０９／９５６，４４４号に記載され、そして図示されていて、その各々は、全体が引用によって本明細書中に組み込まれている。
【００６１】
空間プロセッサ６２０は、送信機の遅延素子及び／又はスケーリング回路によって与えられる時間変化する遅延を補償することができ、これは、図２及び図５に関連して論じられている。この補償は、１つの実施形態では、例えば、擬似ランダム体系、又は受信機ユニット６００によって事前に知られた機能にしたがって線形の又はランダムな遅延体系を有することによって与えられることができる。この知識は、例えば、全ての送信機によって利用される同じ体系を有することによって、又は送信機と受信機ユニット６００との間の通信の初期化の一部として利用される体系に関する情報を提供することによって、与えられることがあり得る。
【００６２】
マルチプレクサ／デマルチプレクサ６２２は、それから検出されたシンボルをマルチプレックスし／デマルチプレックスし、そしてＮＤ個のシンボル・デマッピング素子６２４ａから６２４ｒへＮＤ個のデータ・ストリームに対するＮＤ個の集合した検出シンボル・ストリームを与える。各シンボル・デマッピング素子６２４ａから６２４ｒは、その後、そのデータ・ストリームに対して使用された変調体系に相補的である復調体系にしたがって検出されたシンボルを復調する。ＮＤ個のシンボル・デマッピング素子６２４ａから６２４ｒからのＮＤ個の復調されたデータ・ストリームは、それからＲＸデータ・プロセッサ６１０に与えられる。
【００６３】
ＲＸデータ・プロセッサ６１０の内部で、各復調されたデータ・ストリームは、そのデータ・ストリームに対して送信機システムにおいて実行されたものに相補的な方法でチャネル・デインターリーバ６３２ａから６３２ｒによってデインターリーブされる、そしてデインターリーブされたデータは、送信機システムにおいて実行されたものに相補的な方法でデコーダ６３４ａから６３４ｒによってさらにデコードされる。例えば、もしターボ・コーディング又は畳み込みコーディングがそれぞれ送信機ユニットにおいて実行されたのであれば、ターボ・デコーダ又はビタビ・デコーダが、デコーダ６３４ａから６３４ｒとして使用されることができる。各デコーダ６３４ａから６３４ｒからのデコードされたデータ・ストリームは、送信されたデータ・ストリームの推定値を表す。デコーダ６３４ａから６３４ｒは、しかも、（例えば、それが正しく受信されたかエラーで受信されたかどうかを指示している）各受信したパケットの状態を与えることができる。デコーダ６３４ａから６３４ｒは、正しくデコードされなかったパケットに関する復調されたデータをさらに記憶させることができ、その結果、このデータは、引き続く漸増式の送信からのデータと統合されることができ、そしてデコードされることができる。
【００６４】
図６に示された実施形態では、チャネル推定器６４０は、チャネル応答及びノイズ変動を推定し、そしてプロセッサ６５０にこれらの推定値を与える。チャネル応答及びノイズ変動は、パイロットに関する検出されたシンボルに基づいて推定されることができる。
【００６５】
プロセッサ６５０は、レート選択に関係する種々の機能を実行するように設計されることができる。例えば、プロセッサ６５０は、チャネル推定値及び変調体系のような他のパラメータに基づいて各データ・ストリームに対して使用されることができる最大データ・レートを決定できる。
【００６６】
図７を参照して、遅延素子の１実施形態のブロック図が図示される。プロセッサ７００は、バス７０２を介してメモリ７０４と接続される。メモリ７０４は、送信のために与えられる変調シンボルの時間ドメイン表示のサンプルを記憶するために利用される。各シンボルのサンプルは、プロセッサ７００にとって既知のメモリ位置に記憶される。プロセッサ７００は、それからメモリ７０４を指示することができ、シンボルの連続したグループ若しくはフレーム又はバースト・ピリオドに対して任意の所望の時間変化する遅延を利用して各シンボルのサンプルを出力する。
【００６７】
図３及び図４に関して説明したように、各シンボルに対する遅延は、連続的に送信されようとしているシンボルの複数のグループに対して各シンボル間で、そして異なるフレーム又はバースト・ピリオド内の複数のシンボル間で変化することがある。メモリの使用は、シンボルの遅れている供給に対して利用されようとしているいずれかの予め決められた体系又は適応体系を許容する、そしてそれによって、チャネル状態、同様に、例えば、一次変化のような予め決められた体系に基づいて変化することがある時間ダイバーシティを与える。
【００６８】
図８を参照して、時間変化するダイバーシティを与えるための方法の１実施形態のフローチャートが図示される。逆高速フーリエ変換を受けた後で１又はそれより多くの変調されたシンボルを表しているもののサンプルが与えられる、ブロック８００。巡回プリフィックスは、それから変調されたシンボルの各々の前に付け加えられる、ブロック８０２。プリフィックスのサイズは、望まれるように変えることができ、そして１つの実施形態では３２サンプル又はそれより多くのサンプルであり得る。
【００６９】
巡回プリフィックスを含んでいるサンプルは、その後、メモリ中に記憶される、ブロック８０４、メモリは１つの実施形態ではバッファであり得る。１つの実施形態では、各変調されたシンボルに対するサンプルは、巡回プリフィックスを前に付け加えた後でサンプルがその順番で与えられる順番にしたがってメモリ中に記憶される。他の実施形態では、各変調されたシンボルのサンプルは、望まれる任意の順番で記憶されることができる。１つのシンボルに対して送信されるべき第１のシンボルは、第１の遅延Ｎにしたがって除去される、ブロック８０６。送信されるべき次のシンボルは、それから第１の遅延とは異なる第２の遅延にしたがって除去される、ブロック８０８。第２の遅延、及び後のシンボルに対するさらなる遅延は、Ｎ＋βの遅延であり得る、ここで、βはＮからの一次増加又は一次減少、Ｎからのランダムな変化、又はある関数の結果であり得る。
【００７０】
遅延される必要があるシンボルのうち送信されてしまったかどうか又はそうでなければ利用されてしまったかどうかについての決定がなされる、ブロック８１０。もしそうでなければ、同じ時間変動にしたがってメモリ又はバファからのさらなるシンボルの出力に、追加の遅延が与えられる。もしそうであれば、その時にはプロセスは終了する、そしてさらなるシンボルが、ブロック８００−８０４に関して論じたように与えられる、ブロック８１２。
【００７１】
図９を参照して、時間変化する遅延ダイバーシティを与える送信機ユニットのさらなる実施形態のブロック図が図示される。送信機ユニット９００は、送信機ユニット２００と実質的に同じである。しかしながら、ＩＦＦＴブロック２２６ａから２２６ｔの出力に接続された遅延素子２３０ａから２３０ｔ−１を利用する代わりに、位相シフト回路９３０ａから９３０ｔ−１が、ＩＦＦＴブロック９２６ａから９２６ｔの入力の前に接続され、それらはモジュレータ９２４の出力を受信する。位相シフト回路９３０ａから９３０ｔ−は、各シンボルのサンプルに時間変化する位相シフトを与える。例えば、位相シフト回路９３０ａは、モジュレータによって出力される第１のシンボルのサンプルに位相シフトΦ１を与えることができ、次のシンボル又はその後のシンボルのサンプルに位相シフトΦ１を与えることができる。後のシンボルのサンプルは、異なる大きさ又は同じ大きさの位相シフトを有することができる。この位相シフトは、ＩＦＦＴブロック９２６ａから９２６ｔによるＩＦＦＴの適用の後で、時間ドメインにおける遅延として機能することができる。
【００７２】
各位相シフト回路９３０ａから９３０ｔは、互いの位相シフト回路９３０ａから９３０ｔとは異なる位相シフトを与えることができ、その結果、複数のアンテナから送信された同じシンボルの遅延は、各アンテナとは異なる。変動は、いずれかの別のアンテナに関して与えられる位相シフトの関数であることがあるし、そうでないこともある。
【００７３】
１つの実施形態では、各位相シフト回路９３０ａから９３０ｔによって与えられる位相シフトは、モジュレータによって出力された連続する複数のシンボル間で位相シフトが変化する結果である。他の実施形態では、位相シフトは、グループの中の各シンボルが同じ位相シフトを有する２つのシンボルのグループ、３つのシンボルのグループ、４つのシンボルのグループ、又はそれより多くのシンボルのグループの間で変り得る。さらなる実施形態では、１つのフレーム又はバースト・ピリオド内の全てのシンボルは、同じ位相シフトを有するはずであり、各フレーム又はバースト・ピリオドが前のフレーム又はバースト・ピリオド若しくは次のフレーム又はバースト・ピリオドとは異なる各シンボルに対する位相シフトを有する。
【００７４】
位相シフト回路が巡回プリフィックス発生器９２８ａに接続されていないと図９は図示するが、別の実施形態は、巡回プリフィックス発生器９２８ａから９２８ｔの各々の出力に位相シフト回路を与えることができる。
【００７５】
ある複数の実施形態では、モジュレータ及び位相シフト回路は、プロセッサを備えることができる。
【００７６】
図１０を参照して、時間変化するダイバーシティを与えるための方法の１実施形態のフローチャートが図示される。モジュレータによって出力された第１のシンボルのサンプルは、第１の位相シフトΦ１を受ける、ブロック１０００。第２のシンボルのサンプルは、それからΦ１とは異なる第１の位相シフトΦ２を受ける、ブロック１００２。その後、さらなるシンボルがまだ位相シフトされるべきかどうかの決定がなされる、ブロック１００４。もしなければ、Φ１又はΦ２と同じ又は異なることがある位相シフトが、その後、モジュレータによって出力される次のシンボルのサンプルに与えられる、ブロック１０６。このプロセスは、位相シフトすべきさらなるシンボルがなくなるまでその後繰り返される。
【００７７】
もし、位相シフトするさらなるシンボルがなければ、シンボルは、ＩＦＦＴを受けさせられ、ブロック１００８、巡回プリフィックスを前に付加することを受けさせられ、ブロック１０１２、そしてシンボルをメモリ中に記憶する、ブロック１０１２、１つの実施形態では、メモリはバッファであり得る。１つの実施形態では、各変調されたシンボルに関するサンプルは、巡回プリフィックスを前に付加した後で与えられる順番にしたがってメモリ内に記憶される。他の実施形態では、各変調されたシンボルのサンプルは、望まれる任意の順番で記憶される。
【００７８】
ある複数の実施形態では、位相シフトは、シンボル・ストリーム内のシンボルの位置に対応して変化する数を又はその他の序数を掛け算した一定角度に等しい位相にしたがって連続するシンボル間で、シンボルの複数のグループ間で、又は複数のフレーム間で異なることがある。一定角度は、変化しないことがある、又は別の時定数にしたがって変化することがある。しかも、別のアンテナに向けられたシンボルに与えられる一定角度は、異なることがある。
【００７９】
他の実施形態では、位相シフトは、いずれかの別のシンボルに関してランダムな位相にしたがって変化することがある。これは、位相シフトを発生させるために擬似ランダム・コードを利用することによって与えられることができる。
【００８０】
図１０は位相シフトがフレーム又はバースト・ピリオドの全てのシンボルに与えられるまでＩＦＦＴを実行すること及び巡回プリフィックスを前に付け加えること実行することを待機するように図示するが、各シンボルは、フレーム又はバースト・ピリオドのシンボルの各々への位相シフトの完了の前に個々に又はグループのいずれかでＩＦＦＴ及び巡回プリフィックスを前に付け加えることを受けることができることに、注意すべきである。
【００８１】
送信機ユニット２００及び５００が、（ＯＦＤＭを用いないＭＩＭＯに対する）それぞれの変調シンボル・ストリーム又は（ＯＦＤＭを用いたＭＩＭＯに対する）送信シンボル・ストリームを受信することができそして処理することができて、変調された信号を発生させる、変調された信号は、その後、関係付けられたアンテナから送信されることに、注意すべきである。送信機ユニットに関する別の設計が、同様に与えられることができ、そして本発明の範囲内である。
【００８２】
ＯＦＤＭを用いる及び用いないＭＩＭＯシステムに対するコーディング及び変調は、下記の米国特許出願にさらに詳細に記載されている：
・米国特許出願番号第０９／９９３，０８７号、名称“多重アクセス多元入力多元出力（ＭＩＭＯ）通信システム（Multiple-Access Multiple-Input Multiple-Output (MIMO) Communication System）”、２００１年１１月６日出願；
・米国特許出願番号第０９／８５４，２３５号、名称“チャネル状態情報を利用する多元入力多元出力（ＭＩＭＯ）通信システムにおいてデータを処理するための方法及び装置（Method and Apparatus for Processing Data in a Multiple-Access Multiple-Input Multiple-Output (MIMO) Communication System Utilizing Channel State Information）”、２００１年５月１１日出願；
・米国特許出願番号第０９／８２６，４８１号及び第０９／９５６，４４９号、名称 “ワイアレス通信システムにおいてチャネル状態情報を利用するための方法及び装置（Method and Apparatus for Utilizing Channel State Information in a Wireless Communication System）”、それぞれ２００１年３月２３日及び２００１年９月１８日出願；
・米国特許出願番号第０９／７７６，０７５号、名称“ワイアレス通信システムのためのコーディング体系（Coding Scheme for a Wireless Communication System）”、２００１年２月１日出願；及び
・米国特許出願番号第０９／５３２，４９２号、名称“多重キャリア変調を採用する高効率、高性能通信システム（High Efficiency, High Performance Communications System Employing Multi-Carrier Modulation）”、２０００年３月３０日出願。
【００８３】
これらの出願は、本出願の譲受人に全て譲渡され、引用によって本明細書中に組み込まれている。出願番号第０９／７７６，０７５号は、コーディング体系を記載し、それによって、同じ基本コード（例えば、畳み込みコード又はターボ・コード）を用いてデータをコーディングすることによって、そして所望のレートを実現するためにパンクチャリングを調節することによって、異なるレートが実現されることができる。その他のコーディング体系及び変調体系が同様に使用されることができ、そしてこれは本発明の範囲内である。
【００８４】
本明細書中に開示された実施形態に関連して説明された各種の例示的な論理ブロック、モジュール、回路、及びアルゴリズムが、電子ハードウェア、コンピュータ・ソフトウェア、又は両者の組み合わせとして与えられることができることを、当業者は、価値を認めるであろう。ハードウェア及びソフトウェアのこの互換性を明確に説明するために、各種の例示的な複数の構成要素、ブロック、モジュール、回路、及びアルゴリズムが、それらの機能性の面から一般的に上記に説明されてきている。そのような機能性が、ハードウェア又はソフトウェアとして与えられるかどうかは、特定のアプリケーション及びシステム全体に課せられた設計の制約に依存する。知識のある者は、述べられた機能性を各々の特定のアプリケーションに対して違ったやり方で実行することができる。しかし、そのような実行の判断は、本発明の範囲からの逸脱を生じさせるように説明されるべきではない。
【００８５】
本明細書中に開示された実施形態に関連して述べられた、各種の例示的な論理ブロック、プロセッサ、モジュール、及び回路は、汎用プロセッサ、ディジタル・シグナル・プロセッサ（ＤＳＰ：digital signal processor）、複数の回路、用途特定集積回路（ＡＳＩＣ：application specific integrated circuit）、フィールド・プログラマブル・ゲートアレイ（ＦＰＧＡ：field programmable gate array）若しくはその他のプログム可能な論理デバイス、ディスクリート・ゲート・ロジック又はトランジスタ・ロジック、ディスクリート・ハードウェア素子、若しくは本明細書中に説明された機能を実行するために設計されたこれらのいずれかの組み合わせで、与えられる又は実行されることができる。汎用プロセッサは、マイクロプロセッサであり得るが、しかし代わりに、プロセッサは、いずれかの従来型のプロセッサ、プロセッサ、マイクロプロセッサ、又はステート・マシンであり得る。プロセッサは、デバイスの組み合わせとして与えられることができる。例えば、ＤＳＰとマイクロプロセッサの組み合わせ、複数のマイクロプロセッサの組み合わせ、ＤＳＰコアとともに１又はそれ以上のマイクロプロセッサの組み合わせ、複数の論理素子の組み合わせ、複数の回路の組み合わせ、若しくはいずれかの他のそのような構成の組み合わせであり得る。
【００８６】
本明細書中に開示された実施形態に関連して説明された方法又はアルゴリズムは、ハードウェアにおいて、プロセッサにより実行されるソフトウェア・モジュールにおいて、又は両者の組み合わせにおいて直接実現されることができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、脱着可能なディスク、ＣＤ−ＲＯＭ、又は、この技術において公知の他のいずれかの記憶媒体の中に常駐できる。ある具体例の記憶媒体は、プロセッサが記憶媒体から情報を読み出し、そしてそこに情報を書き込めるようにプロセッサに接続される。代わりのものでは、記憶媒体は、プロセッサに集積されることができる。プロセッサ及び記憶媒体は、ＡＳＩＣ中に常駐できる。ＡＳＩＣは、ユーザ端末中に常駐できる。代わりのものでは、プロセッサ及び記憶媒体は、ユーザ端末中に単体素子として常駐できる。
【００８７】
開示された実施形態のこれまでの説明は、本技術に知識のあるいかなる者でも、本発明を作成し、使用することを可能にするために提供される。これらの実施形態への各種の変形は、当業者に容易に明らかであろう。そして、本明細書中に規定された一般的な原理は、本発明の精神又は範囲から逸脱することなく、その他の実施形態に適用されることができる。それゆえ、本発明は、本明細書中に示された実施形態に制限することを意図したものではなく、本明細書中に開示した原理及び新規な機能と整合する最も広い範囲に適用されるものである。
【図１】
2010273377.tif 000005
【図２】
2010273377.tif 000006
【図３】
2010273377.tif 000007
【図４】
2010273377.tif 000008
【図５】
2010273377.tif 000009
【図６】
2010273377.tif 000010
【図７】
2010273377.tif 000011
【図８】
2010273377.tif 000012
【図９】
2010273377.tif 000013
【図１０】
2010273377.tif 000014
【手続補正書】
【提出日】平成22年7月27日(2010.7.27)
【手続補正１】
【補正対象書類名】特許請求の範囲
【補正対象項目名】全文
【補正方法】変更
【補正の内容】
【特許請求の範囲】
【請求項１】
多重チャネル通信システムにおいて送信ダイバーシティを与えるための方法、該方法は下記を具備する：
第１の複数のサンプルを備える第１のシンボルを、第１のアンテナに与えること；
第１の遅延時間幅の後で該第１のシンボルを、第２のアンテナに、与えること；
第２の複数のサンプルを備える第２のシンボルを、該第１のアンテナに与えること；
該第１の遅延時間幅とは異なる第２の遅延時間幅の後で該第２のシンボルを、該第２のアンテナに与えること；
第３の複数のサンプルを備える第３のシンボルを、該第１のアンテナに与えること；および、
該第１の遅延時間幅及び該第２の遅延時間幅とは異なる第３の遅延時間幅の後で該第３のシンボルを、該第２のアンテナに与えること、ただし、前記シンボルの各々は一つ以上のサンプルの巡回プリフィックスを備え、チャネル状態を記述するチャネル品質インディケータ・フィードバックに基づいて調節される定義された時間変動関数に従って前記遅延時間幅は変化し、定義された時間変動関数に従って変化する前記遅延時間幅は送信されたシンボルの数によって制限され、チャネルがそれ自身時間選択的でない場合でさえ、時間ダイバーシティは与えられる。
【請求項２】
請求項１の方法、ここにおいて、該第１のシンボル、該第２のシンボル、及び該第３のシンボルは、同じシンボル・ストリームの連続したシンボルである。
【請求項３】
請求項１の方法、ここにおいて、該第３のシンボルは、該第１のシンボルの直後に送信される該第２のシンボルの直後に送信される。
【請求項４】
請求項１の方法、ここにおいて、該第１のシンボル、該第２のシンボル、及び該第３のシンボルは、同じシンボル・ストリームの連続しないシンボルである。
【請求項５】
請求項４の方法、ここにおいて、該第１のシンボル及び該第２のシンボルは、複数のシンボルだけ分離され、そして該第２のシンボル及び該第３のシンボルは、該複数のシンボルだけ分離される。
【請求項６】
請求項１の方法、ここにおいて、該第１のシンボル、該第２のシンボル、及び該第３のシンボルは、異なるフレームにおいてそれぞれ送信される。
【請求項７】
請求項１の方法、ここにおいて
該第１の遅延時間幅の後で該第１のシンボルを与えることは、該第１の複数のサンプルの各々に第１の位相シフトを与えることを備える；
該第１の遅延時間幅とは異なる該第２の遅延時間幅の後で該第２のシンボルの後で与えることは、該第２の複数のサンプルに第２の位相シフトを与えることを備え、それは該第１の位相シフトとは異なる；及び
該第１の遅延時間幅及び該第２の遅延時間幅とは異なる第３の遅延時間幅の後で該第３のシンボルを与えることは、該第１の位相シフト及び該第２の位相シフトとは異なる該第３の複数のサンプルに第３の位相シフトを与えることを備える。
【請求項８】
請求項１の方法、ここにおいて、該第１の遅延時間幅は、Ｘ個のサンプル周期の遅延を備え、該第２の遅延時間幅は、Ｘ＋β個のサンプル周期の遅延を備え、そして該第３の遅延は、Ｘ＋２β個のサンプル周期の遅延を備える。
【請求項９】
請求項１の方法、ここにおいて、該第１の遅延時間幅は、Ｘ個のサンプル周期の遅延を備え、該第２の遅延時間幅は、Ｘ個以外の任意の数のサンプル周期であるＹ個のサンプル周期の遅延を備え、そして該第３の遅延は、Ｘ個又はＹ個以外の任意の数のサンプル周期であるＺ個のサンプル周期の遅延を備える。
【請求項１０】
請求項１の方法、ここにおいて、該第１の遅延時間幅は、ｆ（ｘ）個のサンプル周期の遅延を備え、該第２の遅延時間幅は、ｆ（ｘ＋１）個のサンプル周期の遅延を備え、そして該第３の遅延は、ｆ（ｘ＋１）個のサンプル周期の遅延を備える、ここで、ｆは関数であり、ｘは前記シンボルの位置に従って変化する関数である。
【請求項１１】
請求項１の方法、該方法は、異なるキャリア周波数にしたがって該第１のシンボル、該第２のシンボル、及び該第３のシンボルを変調することをさらに具備する。
【請求項１２】
請求項１の方法、該方法は、該第１の遅延時間幅、該第２の遅延時間幅、及び該第３のピリオドにスカラ・シフトを与えることをさらに具備する。
【請求項１３】
送信機、該送信機は下記を具備する：
少なくとも２つのアンテナ；
該少なくとも２つのアンテナに接続されたモジュレータ；及び
該モジュレータと該少なくとも２つのアンテナのうちの１つの間に接続された遅延回路、ただし、該遅延回路は該モジュレータから該アンテナに出力されるシンボルを時間とともに変化する遅延時間幅にしたがって遅延させ、前記シンボルの各々は一つ以上のサンプルの巡回プリフィックスを備え、チャネル状態を記述するチャネル品質インディケータ・フィードバックに基づいて調節される定義された時間変動関数に従って前記遅延時間幅は変化し、定義された時間変動関数に従って変化する前記遅延時間幅は送信されたシンボルの数によって制限され、チャネルがそれ自身時間選択的でない場合でさえ、時間ダイバーシティは与えられる。
【請求項１４】
請求項１３の送信機、ここにおいて、該遅延回路は、該モジュレータによって該アンテナに出力される連続した複数のシンボル間で異なるように該遅延時間幅を与える。
【請求項１５】
請求項１３の送信機、ここにおいて、該遅延回路は、該シンボルの該位置に対応して変化する数で掛け算した定数に等しいサンプル周期の数だけ連続した複数のシンボル間で異なるように該遅延時間幅を与える。
【請求項１６】
請求項１３の送信機、ここにおいて、該遅延回路は、いずれかの他の連続したシンボルに対してランダムな数のサンプル周期だけ連続した複数のシンボル間で異なるように該遅延時間幅を与える。
【請求項１７】
請求項１３の送信機、ここにおいて、該遅延回路は、ｆ（ｘ）サンプル周期だけ連続した複数のシンボル間で異なるように該遅延時間幅を与える、ここで、ｆは関数であり、そしてｘは該シンボルの位置にしたがって変化する数である。
【請求項１８】
請求項１３の送信機、該送信機は、該遅延回路と該アンテナとの間に接続されたスケーリング回路をさらに具備する。
【請求項１９】
請求項１３の送信機、ここにおいて、該モジュレータは、シンボルを変調するために周波数帯域の異なるキャリア周波数を利用する。
【請求項２０】
請求項１３の送信機、ここにおいて、該モジュレータ及び該遅延回路は、プロセッサを備える。
【請求項２１】
請求項１３の送信機、ここにおいて、該少なくとも２つのアンテナは、少なくとも３つのアンテナを備える、該送信機は、該モジュレータと該少なくとも３つのアンテナのうちの別の１つとの間に接続された別の１つの遅延回路を備え、該別の１つの遅延回路は、時間とともに変化する別の１つの遅延時間幅を与える、ここにおいて、該別の１つの遅延時間幅及び該遅延時間幅は各シンボルに対して異なる。
【請求項２２】
請求項２１の送信機、ここにおいて、該遅延時間幅は、該モジュレータによって該アンテナに出力される連続した複数のシンボル間で異なり、そして該別の１つの遅延時間幅は、該モジュレータによって該別の１つのアンテナに出力される連続した複数のシンボル間で異なる、そしてここにおいて、連続した複数のシンボル間の該遅延時間幅は、ｎ＊β個のサンプルだけ変化し、そして連続した複数のシンボル間の該別の１つの遅延時間幅は、ｎ＊（β＋ｋ）個のサンプルだけ変化する、ここで、ｎはシンボル・ストリーム中のシンボルの位置であり、そしてβとｋは定数である。
【請求項２３】
請求項１３の送信機、該送信機は、該モジュレータと該遅延回路との間に接続された巡回プリフィックス発生器回路をさらに具備する。
【請求項２４】
ワイアレス送信機、該ワイアレス送信機は下記を具備する：
少なくとも２つのアンテナ；及び
該アンテナに接続されたメモリ、該メモリは各々が複数のサンプルを備える複数のシンボルを記憶する、ここにおいて、該メモリは、該２つのアンテナのうちの１つのアンテナに第１の遅延の後で該複数のシンボルの第１のシンボル及び該１つのアンテナに第２の遅延の後で該複数のシンボルの第２のシンボルの該複数のサンプルを出力する、ここにおいて、該第１の遅延と該第２の遅延は異なる、ただし、前記シンボルの各々は一つ以上のサンプルの巡回プリフィックスを備え、チャネル状態を記述するチャネル品質インディケータ・フィードバックに基づいて調節される定義された時間変動関数に従って前記遅延時間幅は変化し、定義された時間変動関数に従って変化する前記遅延時間幅は送信されたシンボルの数によって制限され、チャネルがそれ自身時間選択的でない場合でさえ、時間ダイバーシティは与えられる。
【請求項２５】
請求項２４のワイアレス送信機、ここにおいて、該第２の遅延は、該第１の遅延よりｎ＊β個のサンプルだけ大きい、ここで、ｎはシンボル・ストリーム中の該第２のシンボルの順序を示す位置であり、そしてβは定数である。
【請求項２６】
請求項２４のワイアレス送信機、ここにおいて、該第１の遅延は、ｆ（ｘ）個のサンプルであり、そして該第２の遅延は、ｆ（ｘ＋１）個のサンプルである、ここで、ｆは関数であり、ｘは前記シンボルの位置に従って変化する関数である。
【請求項２７】
請求項２４のワイアレス送信機、ここにおいて、該メモリは、バッファを備える。
【請求項２８】
請求項２４のワイアレス送信機、該ワイアレス送信機は、メモリ中に該複数のシンボルを記憶することに先立って該複数のシンボルの各々に巡回プリフィックスを付加する該メモリに接続された巡回プリフィックス発生器をさらに具備する。
【請求項２９】
請求項２４のワイアレス送信機、ここにおいて、該少なくとも２つのアンテナは、少なくとも３つのアンテナを備える、ここにおいて、該メモリは、第３の遅延の後で該少なくとも３つのアンテナのうちの別の１つに該第１のシンボルを与え、そして第４の遅延の後で該第２のシンボルを与える、ここにおいて、該第１の遅延、該第２の遅延、該第３の遅延、及び該第４の遅延は互いに全て異なる。
【請求項３０】
請求項２４のワイアレス送信機、ここにおいて、該第２の遅延は、該第１の遅延からｎ＊β個のサンプルだけ変化し、そして該第４の遅延は、該第３の遅延からｎ＊（β＋ｋ）個のサンプルだけ変化する、ここで、ｎはシンボル・ストリーム中のシンボルの位置であり、そしてβ及びｋは定数である。
【請求項３１】
複数のシンボルを送信するための送信機、該送信機は下記を具備する：
複数のアンテナ：
該複数のアンテナを介した送信のために複数のシンボルを変調する該複数のアンテナに接続されたモジュレータ；及び
該モジュレータによって出力される各シンボルの遅延を与えるため、そして該モジュレータによって出力される連続した複数のシンボル間で該遅延を変化させるための手段、
ただし、前記シンボルの各々は一つ以上のサンプルの巡回プリフィックスを備え、チャネル状態を記述するチャネル品質インディケータ・フィードバックに基づいて調節される定義された時間変動関数に従って前記遅延時間幅は変化し、定義された時間変動関数に従って変化する前記遅延時間幅は送信されたシンボルの数によって制限され、チャネルがそれ自身時間選択的でない場合でさえ、時間ダイバーシティは与えられる。
【請求項３２】
請求項３１の送信機、ここにおいて、該与えるための手段は、ｎ＊β個のサンプルだけ変化する連続した複数のシンボル間に遅延を与えるための手段を具備する、ここで、ｎはシンボル・ストリーム中の該第２のシンボルの順序を示す位置であり、そしてβは定数である。
【請求項３３】
請求項３１の送信機、ここにおいて、該与えるための手段は、ランダムな数のサンプルだけ変化する連続した複数のシンボル間に遅延を与えるための手段を具備する。
【請求項３４】
請求項３１の送信機、ここにおいて、該与えるための手段は、ｆ（ｘ）サンプルにしたがって変化する連続した複数のシンボル間に遅延を与えるための手段を具備する、ここで、ｆは関数である。
【請求項３５】
請求項３１の送信機、該送信機は、複数のキャリア周波数を利用する該複数のシンボルを変調するモジュレータをさらに具備する。
【請求項３６】
請求項３１の送信機、該送信機は、該複数のシンボルの各々に与えられた該遅延にスカラ・シフトを与えるための手段をさらに具備する。
【請求項３７】
請求項３１の送信機、該送信機は、該複数のシンボルの各々にＮ個のサンプルの巡回プリフィックスを添付するための手段をさらに具備する。
【請求項３８】
送信機、該送信機は下記を具備する：
少なくとも３つのアンテナ；
該少なくとも３つのアンテナに接続されたモジュレータ；
該モジュレータと該少なくとも２つのアンテナのうちの１つとの間に接続された第１の遅延回路、該第１の遅延回路は該モジュレータから該アンテナに出力されるシンボルを時間とともに変化する遅延時間幅にしたがって遅延させる；
該モジュレータと該少なくとも２つのアンテナのうちの別の１つとの間に接続された第２の遅延回路、該第１の遅延回路は該モジュレータから該別の１つのアンテナに出力されるシンボルを時間とともに変化する別の１つの遅延時間幅にしたがって遅延させる；
ここにおいて、該別の１つの遅延時間幅及び該遅延時間幅は異なる、
ただし、前記シンボルの各々は一つ以上のサンプルの巡回プリフィックスを備え、チャネル状態を記述するチャネル品質インディケータ・フィードバックに基づいて調節される定義された時間変動関数に従って前記遅延時間幅は変化し、定義された時間変動関数に従って変化する前記遅延時間幅は送信されたシンボルの数によって制限され、チャネルがそれ自身時間選択的でない場合でさえ、時間ダイバーシティは与えられる。
【請求項３９】
請求項３８の送信機、ここにおいて、該遅延回路は、該モジュレータによって該アンテナに出力される連続した複数のシンボル間で異なるように該遅延時間幅を与え、そして該別の１つの遅延回路は、該モジュレータによって該別の１つのアンテナに出力される連続した複数のシンボル間で異なるように該別の１つの遅延時間幅を与える。
【請求項４０】
請求項３８の送信機、ここにおいて、該遅延回路は、該シンボルの位置に対応して変化する数で掛け算した定数に等しいサンプル周期の数だけ連続した複数のシンボル間で異なるように該遅延時間幅を与え、そして該別の１つの遅延回路は、該シンボルの該位置に対応して変化する数で掛け算した別の１つの定数に等しいサンプル周期の数だけ連続した複数のシンボル間で異なるように該別の１つの遅延時間幅を与える。
【請求項４１】
請求項３８の送信機、ここにおいて、該別の１つの遅延回路は、いずれかの他の連続したシンボルに関してランダムな数のサンプル周期だけ連続した複数のシンボル間で異なるように該遅延時間幅を与える。
【請求項４２】
請求項３８の送信機、ここにおいて、該遅延回路は、ｆ（ｘ）サンプル周期だけ連続した複数のシンボル間で異なるように該遅延時間幅を与える、ここで、ｆは関数であり、そしてｘは該シンボルの位置にしたがって変化する数であり、そして該別の１つの遅延回路は、ｇ（ｘ）サンプル周期だけ連続した複数のシンボル間で異なるように該別の１つの遅延時間幅を与える、ここで、ｇはｆとは異なる関数であり、そしてｘは該シンボルの該位置にしたがって変化する数である。
【請求項４３】
請求項３８の送信機、該送信機は、該遅延回路と該アンテナとの間に接続されたスケーリング回路、及び該別の１つの遅延回路と該別の１つのアンテナとの間に接続された別の１つのスケーリング回路をさらに具備する。
【請求項４４】
請求項３８の送信機、ここにおいて、該モジュレータは、シンボルを変調するために周波数帯域の異なるキャリア周波数を利用する。
【請求項４５】
請求項３８の送信機、該送信機は、モジュレータと該遅延回路との間に接続された巡回プリフィックス発生器回路、及び該モジュレータと該別の１つの遅延回路との間に接続された別の１つの巡回プリフィックス発生器回路をさらに具備する。
【請求項４６】
複数の命令をその上に有するプロセッサ読み出し可能メモリー、該複数の命令は下記を具備する：
第１の複数のサンプルを備える第１のシンボルを、第１のアンテナに与えるための命令コード；
第１の遅延時間幅の後で該第１のシンボルを、第２のアンテナに、与えるための命令コード；
第２の複数のサンプルを備える第２のシンボルを、該第１のアンテナに与えるための命令コード；
該第１の遅延時間幅とは異なる第２の遅延時間幅の後で該第２のシンボルを、該第２のアンテナに与えるための命令コード；
第３の複数のサンプルを備える第３のシンボルを、該第１のアンテナに与えるための命令コード；および、
該第１の遅延時間幅及び該第２の遅延時間幅とは異なる第３の遅延時間幅の後で該第３のシンボルを、該第２のアンテナに与えるための命令コード、
ただし、前記シンボルの各々は一つ以上のサンプルの巡回プリフィックスを備え、チャネル状態を記述するチャネル品質インディケータ・フィードバックに基づいて調節される定義された時間変動関数に従って前記遅延時間幅は変化し、定義された時間変動関数に従って変化する前記遅延時間幅は送信されたシンボルの数によって制限され、チャネルがそれ自身時間選択的でない場合でさえ、時間ダイバーシティは与えられる。
【手続補正２】
【補正対象書類名】明細書
【補正対象項目名】００８７
【補正方法】変更
【補正の内容】
【００８７】
開示された実施形態のこれまでの説明は、本技術に知識のあるいかなる者でも、本発明を作成し、使用することを可能にするために提供される。これらの実施形態への各種の変形は、当業者に容易に明らかであろう。そして、本明細書中に規定された一般的な原理は、本発明の精神又は範囲から逸脱することなく、その他の実施形態に適用されることができる。それゆえ、本発明は、本明細書中に示された実施形態に制限することを意図したものではなく、本明細書中に開示した原理及び新規な機能と整合する最も広い範囲に適用されるものである。なお、本願の出願当初の請求項の記載と同一の記載を「その他の実施例」として下記に付記する。
[その他の実施例１]
多重チャネル通信システムにおいて送信ダイバーシティを与えるための方法、該方法は下記を具備する：
第１の複数のサンプルを備える第１のシンボルを、第１のアンテナに、与えること；    第１の遅延ピリオドの後で該第１のシンボルを、第２のアンテナに、与えること；    第２の複数のサンプルを備える第２のシンボルを、該第１のアンテナに、与えること；
該第１の遅延ピリオドとは異なる第２の遅延ピリオドの後で該第２のシンボルを、該第２のアンテナに、与えること；
第３の複数のサンプルを備える第３のシンボルを、該第１のアンテナに、与えること；
該第１の遅延ピリオド及び該第２の遅延ピリオドとは異なる第３の遅延ピリオドの後で該第３のシンボルを、該第２のアンテナに、与えること。
[その他の実施例２]
その他の実施例１の方法、ここにおいて、該第１のシンボル、該第２のシンボル、及び該第３のシンボルは、同じシンボル・ストリームの連続したシンボルである。
[その他の実施例３]
その他の実施例１の方法、ここにおいて、該第３のシンボルは、該第１のシンボルの直後に送信される該第２のシンボルの直後に送信される。
[その他の実施例４]
その他の実施例１の方法、ここにおいて、該第１のシンボル、該第２のシンボル、及び該第３のシンボルは、同じシンボル・ストリームの連続しないシンボルである。
[その他の実施例５]
その他の実施例４の方法、ここにおいて、該第１のシンボル及び該第２のシンボルは、複数のシンボルだけ分離され、そして該第２のシンボル及び該第３のシンボルは、該複数のシンボルだけ分離される。
[その他の実施例６]
その他の実施例１の方法、ここにおいて、該第１のシンボル、該第２のシンボル、及び該第３のシンボルは、異なるフレームにおいてそれぞれ送信される。
[その他の実施例７]
その他の実施例１の方法、ここにおいて
該第１の遅延ピリオドの後で該第１のシンボルを与えることは、該第１の複数のサンプルの各々に第１の位相シフトを与えることを備える；
該第１の遅延ピリオドとは異なる該第２の遅延ピリオドの後で該第２のシンボルの後で与えることは、該第２の複数のサンプルに第２の位相シフトを与えることを備え、それは該第１の位相シフトとは異なる；及び
該第１の遅延ピリオド及び該第２の遅延ピリオドとは異なる第３の遅延ピリオドの後で該第３のシンボルを与えることは、該第１の位相シフト及び該第２の位相シフトとは異なる該第３の複数のサンプルに第３の位相シフトを与えることを備える。
[その他の実施例８]
その他の実施例１の方法、ここにおいて、該第１の遅延ピリオドは、Ｘ個のサンプル・ピリオドの遅延を備え、該第２の遅延ピリオドは、Ｘ＋β個のサンプル・ピリオドの遅延を備え、そして該第３の遅延は、Ｘ＋２β個のサンプル・ピリオドの遅延を備える。
[その他の実施例９]
その他の実施例１の方法、ここにおいて、該第１の遅延ピリオドは、Ｘ個のサンプル・ピリオドの遅延を備え、該第２の遅延ピリオドは、Ｘ個以外の任意の数のサンプル・ピリオドであるＹ個のサンプル・ピリオドの遅延を備え、そして該第３の遅延は、Ｘ個又はＹ個以外の任意の数のサンプル・ピリオドであるＺ個のサンプル・ピリオドの遅延を備える。
[その他の実施例１０]
その他の実施例１の方法、ここにおいて、該第１の遅延ピリオドは、ｆ（ｘ）サンプル・ピリオドの遅延を備え、該第２の遅延ピリオドは、ｆ（ｘ＋１）サンプル・ピリオドの遅延を備え、そして該第３の遅延は、ｆ（ｘ＋１）サンプル・ピリオドの遅延を備える、ここで、ｆは関数である。
[その他の実施例１１]
その他の実施例１の方法、該方法は、異なるキャリア周波数にしたがって該第１のシンボル、該第２のシンボル、及び該第３のシンボルを変調することをさらに具備する。
[その他の実施例１２]
その他の実施例１の方法、該方法は、該第１の遅延ピリオド、該第２の遅延ピリオド、及び該第３のピリオドにスカラ・シフトを与えることをさらに具備する。
[その他の実施例１３]
その他の実施例１の方法、ここにおいて、該第１の遅延ピリオド、該第２の遅延ピリオド、及び該第３の遅延ピリオドは、フィードバック情報に基づいて決定される。
[その他の実施例１４]
その他の実施例１の方法、該方法は下記をさらに具備する：
与えることに先立って、該第１のシンボルに巡回プリフィックスを添付すること；    与えることに先立って、該第２のシンボルに巡回プリフィックスを添付すること；及び
与えることに先立って、該第３のシンボルに巡回プリフィックスを添付すること。
[その他の実施例１５]
送信機、該送信機は下記を具備する：
少なくとも２つのアンテナ；
該少なくとも２つのアンテナに接続されたモジュレータ；及び
該モジュレータと該少なくとも２つのアンテナのうちの１つの間に接続された遅延回路、該遅延回路は該モジュレータから該アンテナに出力されるシンボルを時間とともに変化する遅延ピリオドにしたがって遅延させる。
[その他の実施例１６]
その他の実施例１５の送信機、ここにおいて、該遅延回路は、該モジュレータによって該アンテナに出力される連続した複数のシンボル間で異なるように該遅延ピリオドを与える。
[その他の実施例１７]
その他の実施例１５の送信機、ここにおいて、該遅延回路は、該シンボルの該位置に対応して変化する数で掛け算した定数に等しいサンプル・ピリオドの数だけ連続した複数のシンボル間で異なるように該遅延ピリオドを与える。
[その他の実施例１８]
その他の実施例１５の送信機、ここにおいて、該遅延回路は、いずれかの他の連続したシンボルに対してランダムな数のサンプル・ピリオドだけ連続した複数のシンボル間で異なるように該遅延ピリオドを与える。
[その他の実施例１９]
その他の実施例１５の送信機、ここにおいて、該遅延回路は、ｆ（ｘ）サンプル・ピリオドだけ連続した複数のシンボル間で異なるように該遅延ピリオドを与える、ここで、ｆは関数であり、そしてｘは該シンボルの位置にしたがって変化する数である。
[その他の実施例２０]
その他の実施例１５の送信機、該送信機は、該遅延回路と該アンテナとの間に接続されたスケーリング回路をさらに具備する。
[その他の実施例２１]
その他の実施例１５の送信機、ここにおいて、該モジュレータは、シンボルを変調するために周波数帯域の異なるキャリア周波数を利用する。
[その他の実施例２２]
その他の実施例１５の送信機、ここにおいて、該モジュレータ及び該遅延回路は、プロセッサを備える。
[その他の実施例２３]
その他の実施例１５の送信機、ここにおいて、該少なくとも２つのアンテナは、少なくとも３つのアンテナを備える、該送信機は、該モジュレータと該少なくとも３つのアンテナのうちの別の１つとの間に接続された別の１つの遅延回路を備え、該別の１つの遅延回路は、時間とともに変化する別の１つの遅延ピリオドを与える、ここにおいて、該別の１つの遅延ピリオド及び該遅延ピリオドは各シンボルに対して異なる。
[その他の実施例２４]
その他の実施例２３の送信機、ここにおいて、該遅延ピリオドは、該モジュレータによって該アンテナに出力される連続した複数のシンボル間で異なり、そして該別の１つの遅延ピリオドは、該モジュレータによって該別の１つのアンテナに出力される連続した複数のシンボル間で異なる、そしてここにおいて、連続した複数のシンボル間の該遅延ピリオドは、ｎ＊β個のサンプルだけ変化し、そして連続した複数のシンボル間の該別の１つの遅延ピリオドは、ｎ＊（β＋ｋ）個のサンプルだけ変化する。
[その他の実施例２５]
その他の実施例２５の送信機、該送信機は、該モジュレータと該遅延回路との間に接続された巡回プリフィックス発生器回路をさらに具備する。
[その他の実施例２６]
ワイアレス送信機、該ワイアレス送信機は下記を具備する：
少なくとも２つのアンテナ；及び
該アンテナに接続されたメモリ、該メモリは各々が複数のサンプルを備える複数のシンボルを記憶する、ここにおいて、該メモリは、該２つのアンテナのうちの１つのアンテナに第１の遅延の後で該複数のシンボルの第１のシンボル及び該１つのアンテナに第２の遅延の後で該複数のシンボルの第２のシンボルの該複数のサンプルを出力する、ここにおいて、該第１の遅延と該第２の遅延は異なる。
[その他の実施例２７]
その他の実施例２６のワイアレス送信機、ここにおいて、該第２の遅延は、該第１の遅延よりｎ＊β個のサンプルだけ大きい、ここで、ｎはシンボル・ストリーム中の該第２のシンボルの順序を示す位置であり、そしてβは定数である。
[その他の実施例２８]
その他の実施例２６のワイアレス送信機、ここにおいて、該第１の遅延は、ｆ（ｘ）サンプルであり、そして該第２の遅延は、ｆ（ｘ＋１）サンプルである、ここで、ｆは関数である。
[その他の実施例２９]
その他の実施例２６のワイアレス送信機、ここにおいて、該メモリは、バッファを備える。
[その他の実施例３０]
その他の実施例２６のワイアレス送信機、該ワイアレス送信機は、メモリ中に該複数のシンボルを記憶することに先立って該複数のシンボルの各々に巡回プリフィックスを付加する該メモリに接続された巡回プリフィックス発生器をさらに具備する。
[その他の実施例３１]
その他の実施例２６のワイアレス送信機、ここにおいて、該少なくとも２つのアンテナは、少なくとも３つのアンテナを備える、ここにおいて、該メモリは、第３の遅延の後で該少なくとも３つのアンテナのうちの別の１つに該第１のシンボルを与え、そして第４の遅延の後で該第２のシンボルを与える、ここにおいて、該第１の遅延、該第２の遅延、該第３の遅延、及び該第４の遅延は互いに全て異なる。
[その他の実施例３２]
その他の実施例２６のワイアレス送信機、ここにおいて、該第２の遅延は、該第１の遅延からｎ＊β個のサンプルだけ変化し、そして該第４の遅延は、該第３の遅延からｎ＊（β＋ｋ）個のサンプルだけ変化する、ここで、ｎはシンボル・ストリーム中のシンボルの位置であり、そしてβ及びｋは定数である。
[その他の実施例３３]
複数のシンボルを送信するための送信機、該送信機は下記を具備する：
複数のアンテナ：
該複数のアンテナを介した送信のために複数のシンボルを変調する該複数のアンテナに接続されたモジュレータ；及び
該モジュレータによって出力される各シンボルの遅延を与えるため、そして該モジュレータによって出力される連続した複数のシンボル間で該遅延を変化させるための手段。
[その他の実施例３４]
その他の実施例３３の送信機、ここにおいて、該与えるための手段は、ｎ＊β個のサンプルだけ変化する連続した複数のシンボル間に遅延を与えるための手段を具備する、ここで、ｎはシンボル・ストリーム中の該第２のシンボルの順序を示す位置であり、そしてβは定数である。
[その他の実施例３５]
その他の実施例３３の送信機、ここにおいて、該与えるための手段は、ランダムな数のサンプルだけ変化する連続した複数のシンボル間に遅延を与えるための手段を具備する。
[その他の実施例３６]
その他の実施例３３の送信機、ここにおいて、該与えるための手段は、ｆ（ｘ）サンプルにしたがって変化する連続した複数のシンボル間に遅延を与えるための手段を具備する、ここで、ｆは関数である。
[その他の実施例３７]
その他の実施例３３の送信機、該送信機は、複数のキャリア周波数を利用する該複数のシンボルを変調するモジュレータをさらに具備する。
[その他の実施例３８]
その他の実施例３３の送信機、該送信機は、該複数のシンボルの各々に与えられた該遅延にスカラ・シフトを与えるための手段をさらに具備する。
[その他の実施例３９]
その他の実施例３３の送信機、該送信機は、該複数のシンボルの各々にＮ個のサンプルの巡回プリフィックスを添付するための手段をさらに具備する。
[その他の実施例４０]
送信機、該送信機は下記を具備する：
少なくとも３つのアンテナ；
該少なくとも３つのアンテナに接続されたモジュレータ；
該モジュレータと該少なくとも２つのアンテナのうちの１つとの間に接続された第１の遅延回路、該第１の遅延回路は該モジュレータから該アンテナに出力されるシンボルを時間とともに変化する遅延ピリオドにしたがって遅延させる；
該モジュレータと該少なくとも２つのアンテナのうちの別の１つとの間に接続された第２の遅延回路、該第１の遅延回路は該モジュレータから該別の１つのアンテナに出力されるシンボルを時間とともに変化する別の１つの遅延ピリオドにしたがって遅延させる；    ここにおいて、該別の１つの遅延ピリオド及び該遅延ピリオドは異なる。
[その他の実施例４１]
その他の実施例４０の送信機、ここにおいて、該遅延回路は、該モジュレータによって該アンテナに出力される連続した複数のシンボル間で異なるように該遅延ピリオドを与え、そして該別の１つの遅延回路は、該モジュレータによって該別の１つのアンテナに出力される連続した複数のシンボル間で異なるように該別の１つの遅延ピリオドを与える。
[その他の実施例４２]
その他の実施例４０の送信機、ここにおいて、該遅延回路は、該シンボルの位置に対応して変化する数で掛け算した定数に等しいサンプル・ピリオドの数だけ連続した複数のシンボル間で異なるように該遅延ピリオドを与え、そして該別の１つの遅延回路は、該シンボルの該位置に対応して変化する数で掛け算した別の１つの定数に等しいサンプル・ピリオドの数だけ連続した複数のシンボル間で異なるように該別の１つの遅延ピリオドを与える。
[その他の実施例４３]
その他の実施例４０の送信機、ここにおいて、該別の１つの遅延回路は、いずれかの他の連続したシンボルに関してランダムな数のサンプル・ピリオドだけ連続した複数のシンボル間で異なるように該遅延ピリオドを与える。
[その他の実施例４４]
その他の実施例４０の送信機、ここにおいて、該遅延回路は、ｆ（ｘ）サンプル・ピリオドだけ連続した複数のシンボル間で異なるように該遅延ピリオドを与える、ここで、ｆは関数であり、そしてｘは該シンボルの位置にしたがって変化する数であり、そして該別の１つの遅延回路は、ｇ（ｘ）サンプル・ピリオドだけ連続した複数のシンボル間で異なるように該別の１つの遅延ピリオドを与える、ここで、ｇはｆとは異なる関数であり、そしてｘは該シンボルの該位置にしたがって変化する数である。
[その他の実施例４５]
その他の実施例４０の送信機、該送信機は、該遅延回路と該アンテナとの間に接続されたスケーリング回路、及び該別の１つの遅延回路と該別の１つのアンテナとの間に接続された別の１つのスケーリング回路をさらに具備する。
[その他の実施例４６]
その他の実施例４０の送信機、ここにおいて、該モジュレータは、シンボルを変調するために周波数帯域の異なるキャリア周波数を利用する。
[その他の実施例４７]
その他の実施例４０の送信機、該送信機は、モジュレータと該遅延回路との間に接続された巡回プリフィックス発生器回路、及び該モジュレータと該別の１つの遅延回路との間に接続された別の１つの巡回プリフィックス発生器回路をさらに具備する。
[その他の実施例４８]
多重チャネル通信システムにおいて送信ダイバーシティを与えるための方法、該方法は下記を具備する：
第１のアンテナ上で送信されようとしている第１のシンボルに第１の位相シフトを与えること、該第１のシンボルは第１の複数のサンプルを備える；及び
第２のアンテナ上で送信されようとしている該第１のシンボルに、該第１の位相シフトとは異なる第２の位相シフトを与えること、第２のシンボルは第２の複数のサンプルを備える。
[その他の実施例４９]
その他の実施例４８の方法、該方法は、該第１のアンテナ上で送信されようとしている第２のシンボルに第３の位相シフトを与えること、及び該第２のアンテナ上で送信されようとしている該第２のシンボルに第４の位相シフトを与えることをさらに具備する、ここにおいて、該第１の位相シフト、該第２の位相シフト、該第３の位相シフト、及び該第４の位相シフトは互いに全て異なる。
[その他の実施例５０]
その他の実施例４９の方法、ここにおいて、該第２のシンボルは、該第１のシンボルの直後に送信される。
[その他の実施例５１]
その他の実施例４９の方法、ここにおいて、該第１のシンボル及び該第２のシンボルは、同じシンボル・ストリームの連続しないシンボルである。
[その他の実施例５２]
その他の実施例４９の方法、ここにおいて、該第１のシンボル及び該第２のシンボルは、異なるフレームでそれぞれ送信される。
[その他の実施例５３]
その他の実施例４９の方法、該方法は、異なるキャリア周波数にしたがって該第１のシンボル及び該第２のシンボルを変調することをさらに具備する。
[その他の実施例５４]
その他の実施例４８の方法、ここにおいて、該第１の位相シフト及び該第２の位相シフトは、フィードバック情報に基づいて決定される。
[その他の実施例５５]
その他の実施例４８の方法、該方法は、送信に先立って該第１のシンボルにＩＦＦＴ操作を適用することをさらに具備する。
[その他の実施例５６]
送信機、該送信機は下記を具備する：
少なくとも２つのアンテナ；
該少なくとも２つのアンテナに接続されたモジュレータ；及び
該モジュレータと該少なくとも２つのアンテナのうちの１つの間に接続された位相シフト回路、該位相シフト回路は該モジュレータによって該アンテナに出力されるシンボルに時間とともに変化する位相シフトにしたがって位相シフトを与える。
[その他の実施例５７]
その他の実施例５６の送信機、ここにおいて、該位相シフト回路は、該モジュレータによって該アンテナに出力される連続した複数のシンボル間で異なるように該位相シフトを与える。
[その他の実施例５８]
その他の実施例５６の送信機、ここにおいて、該位相シフト回路は、該シンボルの位置に対応して変化する数で掛け算した一定角度に等しい位相にしたがって連続した複数のシンボル間で異なるように該位相シフトを与える。
[その他の実施例５９]
その他の実施例５６の送信機、ここにおいて、該位相シフト回路は、いずれかの他の連続したシンボルに関してランダムな位相だけ複数のシンボル間で異なるように該位相シフトを与える。
[その他の実施例６０]
その他の実施例５６の送信機、ここにおいて、該モジュレータは、シンボルを変調するために周波数帯域の異なるキャリア周波数を利用する。
[その他の実施例６１]
その他の実施例５６の送信機、ここにおいて、該モジュレータ及び該位相シフト回路は、プロセッサを備える。
[その他の実施例６２]
その他の実施例５６の送信機、ここにおいて、該少なくとも２つのアンテナは、少なくとも３つのアンテナを備える、該送信機は該モジュレータと該少なくとも３つのアンテナのうちの別の１つとの間に接続された別の１つの位相シフト回路をさらに備え、該別の１つの位相シフト回路は時間とともに変化する別の１つの位相シフトを与える、ここにおいて、該別の１つの位相シフト及び該シフトは各シンボルに対して異なる。
[その他の実施例６３]
その他の実施例５６の送信機、該送信機は、該位相シフト回路の出力に接続されたＩＦＦＴブロックをさらに具備する。
【手続補正書】
【提出日】平成22年7月28日(2010.7.28)
【手続補正１】
【補正対象書類名】明細書
【補正対象項目名】０００７
【補正方法】変更
【補正の内容】
【０００７】
巡回遅延ダイバーシティ体系は、チャネルに周波数選択性を導入することができ、そしてそれゆえ、フラット・チャネルに対するダイバーシティの恩恵を提供することができる。しかしながら、チャネルが時間選択的でなくそしてそれ自身が時間選択的でない時に、何の時間ダイバーシティも提供しない。例えば、２個の送信アンテナがスロー・フェーディングである又はスタティックなチャネルにある場合に、巡回シフト、巡回遅延または遅延Δｍは、２つのチャネル、例えば、Ｈ１（ｎ）及びＨ２（ｎ）、が常に消極的な（又は積極的な）判断を下すようにすることができる。
【手続補正２】
【補正対象書類名】明細書
【補正対象項目名】００３９
【補正方法】変更
【補正の内容】
【００３９】
各遅延素子２３０ａから２３０ｔ−１は、周期的プリフィックス発生器２２８ａから２２８ｔから出力される各シンボルに遅延を与える。本明細書中で使用されるように、用語“巡回シフト”、“巡回遅延”及び“遅延“は、シンボル内の複数のサンプルの順番を巡回的にシフトさせることを呼ぶために互換的に使用されることができる。１つの実施形態では、各遅延素子２３０ａから２３０ｔ−１によって与えられる遅延は、時間で変化する。１つの実施形態では、この遅延は、遅延が周期的プリフィックス発生器によって出力される連続した複数のシンボル間で変化するように又は送信機ユニット２００から連続的に送信されようとしている連続した複数のシンボル間で変化するようになる。他の実施形態では、遅延は、各シンボルが同じ遅延を有するグループの中の２，３，４、又はそれより多くの複数のシンボル間で変化することがある。さらなる実施形態では、フレーム内の又はバースト・ピリオド内のシンボルの全てが、各シンボルに対して前の又は次のフレーム又はバースト・ピリオドとは異なる遅延を有する各フレーム又はバースト・ピリオドで同じ遅延を有するはずである。
【手続補正３】
【補正対象書類名】明細書
【補正対象項目名】００４２
【補正方法】変更
【補正の内容】
【００４２】
上に述べたように、１つの実施形態では、各遅延素子２３０ａから２３０ｔ−１によって与えられる時間変化する遅延、または巡回シフト、又は巡回遅延Δｍは、時間とともに変化する。１つの実施形態では、ｉ番目のＯＦＤＭシンボルは、式２の遅延にしたがってアンテナｍから送信されるシンボルとして送信される：
【数１】
2010273377.tif 000015
【手続補正４】
【補正対象書類名】明細書
【補正対象項目名】００４５
【補正方法】変更
【補正の内容】
【００４５】
１つの構成では、アンテナ固有の巡回シフトは、時間とともに変化する。該巡回シフトは、遅延回路２３０ａから２３０ｔにより与えられることができる。この時間変化する遅延の使用は、性能を改善するために利用されることができるチャネルに周波数選択性及び時間選択性の両方を導入することが可能である。例えば、異なるサブキャリア及び異なるＯＦＤＭシンボルにわたる送信シンボルに関する時間変化する遅延を使用することによって、時間選択性及び周波数選択性の両方が、同時に与えられることが可能である。その上、複数のユーザへ送信するケースでは、各ユーザの受信機が互いのユーザの受信機とは異なるチャネル状態を有するので、複数のシンボルに関する遅延を変えることによって与えられるチャネルの時間変化は、複数のユーザの各々へのダイバーシティ・ゲインを与えるために活用されることが可能である。
【手続補正５】
【補正対象書類名】明細書
【補正対象項目名】００４６
【補正方法】変更
【補正の内容】
【００４６】
１つの実施形態では、遅延Δｍ（ｉ）は、各連続するシンボルで、又は連続するシンボルのグループで、時間について線形方式で変化されることができ、ｎ＊βサンプルだけ遅延される。ここで、βは定数であり、そしてｎは０から１，．．．，Ｎ−１まで変化する、ここで、Ｎは、１フレーム中の、バースト・ピリオド中の、又はシンボル・ストリーム中のシンボルの数である。他の１つの実施形態では、遅延Δｍ（ｉ）は、前のシンボル及び／又は次のシンボルのＮＴ個のアンテナのうちの隣接するチャネル、すなわち、アンテナに関する擬似ランダム・シーケンスに基づくランダム遅延であり得る。さらなる実施形態では、遅延は、ｆ（ｘ）によって変化されることができ、ここで、ｆは、正弦関数、余弦関数のような関数、又はその他の時間変化する関数であり、そしてｘは、０から１，．．．，Ｎ−１まで変化する、又はそのあるもの倍数であり、ここで、Ｎは、フレーム中、バースト・ピリオド中、またはシンボル・ストリーム中のシンボルの数である。上記の実施形態の各々において、遅延は、同様に、フィードバック情報に基づいて変えられることができ、そのケースでは、受信機は、全体のチャネル状態を記述するチャネル品質指標を送り返し、そして遅延Δｍ（ｉ）は、全体の品質を向上させるために変更される。
【外国語明細書】
2010273377000001.pdf